(57)【要約】      （修正有）【課題】ロングタームエボリューション（ＬＴＥ）における制御チャネル（例えば、物理ダウンリンク制御チャネル（ＰＤＣＣＨ）および拡張されたＰＤＣＣＨ）についての伝送時間間隔（ＴＴＩ）バンドリングのための技法を提供する。【解決手段】ユーザ機器（ＵＥ）は、サブフレームのバンドルのうちの第１のサブフレームにおけるダウンリンク制御チャネルについての可能性のある復号候補の第１のセットと、サブフレームのバンドル内の第２のサブフレームにおけるダウンリンク制御チャネルについての可能性のある復号候補の第２のセットとを決定する（３０２）。ここで、可能性のある復号候補の第１のセットと可能性のある復号候補の第２のセットとは異なっており、決定に少なくとも部分的に基づいてサブフレームのバンドルを処理する（３０４）。【選択図】図３
2020188469.tif 000002
【特許請求の範囲】
【請求項１】
サブフレームのバンドル上で、バンドリングされた送信として送られるダウンリンク制御チャネルを処理する方法であって、
前記サブフレームのバンドル内の第１のサブフレームにおける前記ダウンリンク制御チャネルについての可能性のある復号候補の第１のセットと、前記サブフレームのバンドル内の第２のサブフレームにおける前記ダウンリンク制御チャネルについての可能性のある復号候補の第２のセットとの間のマッピングを決定することと、
前記決定に、少なくとも部分的に基づいて、前記サブフレームのバンドルを処理することと
を備える、方法。
【請求項２】
前記ダウンリンク制御チャネルは、物理ダウンリンク制御チャネル（ＰＤＣＣＨ）または拡張されたＰＤＣＣＨ（ＥＰＤＣＣＨ）を備える、請求項１に記載の方法。
【請求項３】
可能性のある復号候補の前記第１のセットと、可能性のある復号候補の前記第２のセットとは異なっており、前記処理は、
可能性のある復号候補の前記第２のセット内にはない、可能性のある復号候補の前記第１のセット内の復号候補を決定することと、
復号のために前記サブフレームのバンドルのうちの前記第２のサブフレームを無視すること、および前記サブフレームのバンドルのうちの前記第１のサブフレーム内の前記決定された復号候補を復号すること、または復号のために前記サブフレームのバンドルのうちの前記第１および第２のサブフレームを無視すること
を備える、請求項１に記載の方法。
【請求項４】
可能性のある復号候補の前記第１のセットにおけるアグリゲーションレベルの復号候補は、可能性のある復号候補の前記第２のセットにおける同じアグリゲーションレベルの復号候補にマッピングされる、請求項１に記載の方法。
【請求項５】
可能性のある復号候補の前記第１のセットにおける第１の復号候補は、可能性のある復号候補の前記第２のセットにおける第２の復号候補にマッピングされ、前記第１の復号候補および前記第２の復号候補は、異なるアグリゲーションレベル、アグリゲーションレベルについての復号候補の異なる数、または制御チャネルの異なるタイプのうちの少なくとも１つを有する、請求項１に記載の方法。
【請求項６】
前記ダウンリンク制御チャネルは、物理ダウンリンク制御チャネル（ＰＤＣＣＨ）を備え、
可能性のある復号候補の前記第１のセットと、可能性のある復号候補の前記第２のセットとの間の前記マッピングを前記決定することは、前記サブフレームのバンドル内の利用可能な制御チャネルエレメント（ＣＣＥ）の数に基づいている、請求項１に記載の方法。
【請求項７】
前記ダウンリンク制御チャネルは、拡張された物理ダウンリンク制御チャネル（ＥＰＤＣＣＨ）を備え、
可能性のある復号候補の前記第１のセットと、可能性のある復号候補の前記第２のセットとの間の前記マッピングを前記決定することは、物理リソースブロック（ＰＲＢ）ペアにおける前記ＥＰＤＣＣＨについて利用可能なリソースエレメント（ＲＥ）の数に基づいて、前記サブフレームのバンドルにおいてサポートされるアグリゲーションレベルを決定することを備える、請求項１に記載の方法。
【請求項８】
前記ダウンリンク制御チャネルは、第１のＥＰＤＣＣＨリソースセットおよび第２のＥＰＤＣＣＨリソースセットで構成される拡張された物理ダウンリンク制御チャネルを備え、
可能性のある復号候補の前記第１のセットと、可能性のある復号候補の前記第２のセットとの間の前記マッピングを前記決定することは、前記第１のＥＰＤＣＣＨリソースセット内の第１のマッピングを決定すること、および前記第２のＥＰＤＣＣＨリソースセット内の第２のマッピングを決定することを備える、請求項１に記載の方法。
【請求項９】
共通サーチ空間およびＵＥ固有の共通サーチ空間において、復号候補をモニタリングすること
をさらに備え、
可能性のある復号候補の前記第１のセットと、可能性のある復号候補の前記第２のセットとの間の前記マッピングを前記決定することは、前記共通サーチ空間内の第１のマッピングを決定すること、および前記ＵＥ固有の共通サーチ空間内の第２のマッピングを決定することを備える、請求項１に記載の方法。
【請求項１０】
可能性のある復号候補の前記第１のセットと、可能性のある復号候補の前記第２のセットとの間の前記マッピングを前記決定することは、前記ＰＤＣＣＨ内の第１のマッピングを決定すること、および前記ＥＰＤＣＣＨ内の第２のマッピングを決定することを備える、請求項２に記載の方法。
【請求項１１】
前記第１のサブフレームの構成は、前記第２のサブフレームの構成とは異なっており、  前記決定は、前記第１のサブフレームの前記構成および前記第２のサブフレームの前記構成に基づいている、請求項１に記載の方法。
【請求項１２】
前記第１のサブフレームの前記構成および前記第２のサブフレームの前記構成は、サブフレームにおけるダウンリンク送信についてのシンボルの数、またはサブフレームタイプのうちの少なくとも１つを各々備える、請求項１１に記載の方法。
【請求項１３】
前記決定は、前記サブフレームのバンドル内の他の信号の存在に基づいており、
前記処理は、前記サブフレームのバンドル内の少なくとも１つのサブフレームにおいて、少なくとも１つの復号候補を無視することを備える、請求項１に記載の方法。
【請求項１４】
前記サブフレームにおける前記他の信号の存在は、マルチメディアブロードキャストマルチキャストサービス（ＭＢＭＳ）またはポジショニング基準信号（ＰＲＳ）送信のうちの少なくとも１つの存在を備える、請求項１３に記載の方法。
【請求項１５】
サブフレームのバンドル上で、バンドリングされた送信として送られるダウンリンク制御チャネルを処理する方法であって、
前記サブフレームのバンドルのうちの異なるサブフレームにおいて前記ダウンリンク制御チャネルのためのレートマッチングをどのように行うかを決定することと、
前記決定に、少なくとも部分的に基づいて、前記サブフレームのバンドルを処理することと
を備える、方法。
【請求項１６】
前記処理は、前記サブフレームのバンドルにおいて各サブフレームのためのレートマッチングを別個に行うことを備える、請求項１５に記載の方法。
【請求項１７】
前記処理は、前記サブフレームのバンドルにおいて各サブフレームのためのレートマッチングを共同で行うことを備える、請求項１５に記載の方法。
【請求項１８】
サブフレームのバンドル上で、バンドリングされた送信としてダウンリンク制御チャネルを送る方法であって、
前記サブフレームのバンドル内の第１のサブフレームにおける前記ダウンリンク制御チャネルについての可能性のある復号候補の第１のセットと、前記サブフレームのバンドル内の第２のサブフレームにおける前記ダウンリンク制御チャネルについての可能性のある復号候補の第２のセットとの間のマッピングを決定することと、
前記決定に、少なくとも部分的に基づいて、前記サブフレームのバンドルを送ることと  を備える、方法。
【請求項１９】
前記ダウンリンク制御チャネルは、物理ダウンリンク制御チャネル（ＰＤＣＣＨ）または拡張されたＰＤＣＣＨ（ＥＰＤＣＣＨ）を備える、請求項１８に記載の方法。
【請求項２０】
可能性のある復号候補の前記第１のセットと、可能性のある復号候補の前記第２のセットとは異なっている、請求項１８に記載の方法。
【請求項２１】
可能性のある復号候補の前記第１のセットにおけるアグリゲーションレベルの復号候補は、可能性のある復号候補の前記第２のセットにおける同じアグリゲーションレベルの復号候補にマッピングされる、請求項１８に記載の方法。
【請求項２２】
可能性のある復号候補の前記第１のセットにおける第１の復号候補は、可能性のある復号候補の前記第２のセットにおける第２の復号候補にマッピングされ、前記第１の復号候補および前記第２の復号候補は、異なるアグリゲーションレベル、アグリゲーションレベルについての復号候補の異なる数、または制御チャネルの異なるタイプのうちの少なくとも１つを有する、請求項１８に記載の方法。
【請求項２３】
前記ダウンリンク制御チャネルは、物理ダウンリンク制御チャネル（ＰＤＣＣＨ）を備え、
可能性のある復号候補の前記第１のセットと、可能性のある復号候補の前記第２のセットとの間の前記マッピングを前記決定することは、前記サブフレームのバンドル内の利用可能な制御チャネルエレメント（ＣＣＥ）の数に基づいている、 請求項１８に記載の方法。
【請求項２４】
前記ダウンリンク制御チャネルは、拡張された物理ダウンリンク制御チャネル（ＥＰＤＣＣＨ）を備え、
可能性のある復号候補の前記第１のセットと、可能性のある復号候補の前記第２のセットとの間の前記マッピングを前記決定することは、物理リソースブロック（ＰＲＢ）ペアにおける前記ＥＰＤＣＣＨについて利用可能なリソースエレメント（ＲＥ）の数に基づいて、前記サブフレームのバンドルにおいてサポートされるアグリゲーションレベルを決定することを備える、請求項１８に記載の方法。
【請求項２５】
前記ダウンリンク制御チャネルは、第１のＥＰＤＣＣＨリソースセットおよび第２のＥＰＤＣＣＨリソースセットで構成される拡張された物理ダウンリンク制御チャネル（ＥＰＤＣＣＨ）を備え、
可能性のある復号候補の前記第１のセットと、可能性のある復号候補の前記第２のセットとの間の前記マッピングを前記決定することは、前記第１のＥＰＤＣＣＨリソースセット内の第１のマッピングを決定すること、および前記第２のＥＰＤＣＣＨリソースセット内の第２のマッピングを決定することを備える、請求項１８に記載の方法。
【請求項２６】
可能性のある復号候補の前記第１のセットと、可能性のある復号候補の前記第２のセットとの間の前記マッピングを前記決定することは、前記ＰＤＣＣＨ内の第１のマッピングを決定すること、および前記ＥＰＤＣＣＨ内の第２のマッピングを決定することを備える、請求項１９に記載の方法。
【請求項２７】
前記第１のサブフレームの構成は、前記第２のサブフレームの構成とは異なっており、  前記決定は、前記第１のサブフレームの前記構成および前記第２のサブフレームの前記構成に基づいている、請求項１８に記載の方法。
【請求項２８】
前記第１のサブフレームの前記構成および前記第２のサブフレームの前記構成は、サブフレームにおけるダウンリンク送信についてのシンボルの数、またはサブフレームタイプのうちの少なくとも１つを各々備える、請求項２７に記載の方法。
【請求項２９】
サブフレームのバンドル上で、バンドリングされた送信として送られるダウンリンク制御チャネルを処理するための装置であって、
前記サブフレームのバンドル内の第１のサブフレームにおける前記ダウンリンク制御チャネルについての可能性のある復号候補の第１のセットと、前記サブフレームのバンドル内の第２のサブフレームにおける前記ダウンリンク制御チャネルについての可能性のある復号候補の第２のセットとの間のマッピングを決定するための手段と、
前記決定に、少なくとも部分的に基づいて、前記サブフレームのバンドルを処理するための手段と
を備える、装置。
【請求項３０】
可能性のある復号候補の前記第１のセットと、可能性のある復号候補の前記第２のセットとは異なっており、前記処理するための手段は、
可能性のある復号候補の前記第２のセット内にはない、可能性のある復号候補の前記第１のセット内の復号候補を決定するための手段と、
復号のために前記サブフレームのバンドルのうちの前記第２のサブフレームを無視し、前記サブフレームのバンドルのうちの前記第１のサブフレーム内の前記決定された復号候補を復号するための、または復号のために前記サブフレームのバンドルのうちの前記第１および第２のサブフレームを無視するための手段と
を備える、請求項２９に記載の装置。
【発明の詳細な説明】
【米国特許法第１１９条に基づく優先権の主張】
【０００１】
[0001]  本願は、２０１３年６月２６日に出願された、米国仮特許出願番号第６１／８５９，１１９号の利益を主張し、その全内容は、参照により本明細書に組み込まれている。
【技術分野】
【０００２】
[0002]  本開示の特定の実施形態は、一般にワイヤレス通信に関し、より具体的には、ロングタームエボリューション（ＬＴＥ（登録商標））における制御チャネル（例えば、物理ダウンリンク制御チャネル（ＰＤＣＣＨ：physical downlink control channel）および拡張されたＰＤＣＣＨ）についての伝送時間間隔（ＴＴＩ：transmission time interval）バンドリング（bundling）に関する。
【背景技術】
【０００３】
[0003]  ワイヤレス通信システムは、音声、データなどのような、様々なタイプの通信コンテンツを提供するために広く展開されている。これらのシステムは、利用可能なシステムリソース（例えば、帯域幅および送信電力など）を共有することによって複数のユーザとの通信をサポートすることができる多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰ（登録商標）ロングタームエボリューション（ＬＴＥ）システム、および直交周波数分割多元接続（ＯＦＤＭＡ）システムを含む。
【０００４】
[0004]  一般に、ワイヤレス多元接続通信システムは、複数のワイヤレス端末のための通信を同時にサポートし得る。各端末は、順方向および逆方向リンク上の送信を介して、１つまたは複数の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単一入力単一出力、多入力単一出力、または多入力多出力（ＭＩＭＯ）システムを介して確立され得る。
【０００５】
[0005]  ＭＩＭＯシステムは、データ送信のために複数（ＮＴ個）の送信アンテナと、複数（ＮＲ個）の受信アンテナとを用いる。ＮＴ個の送信アンテナおよびＮＲ個の受信アンテナによって形成されるＭＩＭＯチャネルは、空間チャネルとも呼ばれるＮＳ個の独立チャネルに分解され得、ここで、ＮＳ≦ｍｉｎ｛ＮＴ，ＮＲ｝である。ＮＳ個の独立チャネルの各々は、１つの次元（dimension）に対応する。複数の送信アンテナおよび受信アンテナによって生成される追加の次元が利用される場合、ＭＩＭＯシステムは、改善された性能（例えば、より高いスループットおよび／またはより大きな信頼性）を提供し得る。
【０００６】
[0006]  ＭＩＭＯシステムは、時分割複信（ＴＤＤ）および周波数分割複信（ＦＤＤ）システムをサポートし得る。ＴＤＤシステムにおいて、順方向および逆方向リンク送信は、相反原理が順方向リンクチャネルを逆方向リンクチャネルから推定できるように、同一の周波数領域上にある。これは、複数のアンテナが基地局において利用可能であるときに、基地局が順方向リンク上で送信ビームフォーミングの利得を取り出すことを可能にする。ＦＤＤシステムにおいて、順方向および逆方向送信は、異なる周波数領域上にある
[0007]  従来のＬＴＥ設計の主な焦点は、スペクトル効率性の改善、ユビキタスカバレッジ、拡張されたサービス品質（ＱｏＳ）サポートなどに関するものである。これは典型的に、最新式のスマートフォン、タブレットなどのようなハイエンドデバイスをもたらす。しかしながら、低コストで安価なデバイスも同様に、サポートされる必要性がある。いくつかの市場予測（market projection）は、低コストのデバイスの数が今日の携帯電話の数を大きく上回り得ることを示している。
【０００７】
[0008]  ＬＴＥに基づく低コストＭＴＣ（マシン型通信（machine type communications））ＵＥの提供における研究項目は、ＬＴＥ Ｒｅｌ−１１で行われている。特に、最大帯域幅の低減、単一の受信ＲＦチェーン、ピークレートの低減、送信電力の低減、半二重動作といった項目が研究中である。
【０００８】
[0009]  低コストデバイスについての意図されたデータレートが１００ｋｂｐｓよりも低いため、コストを削減するために狭帯域幅のみでデバイスを動作することが可能である。２つの動作シナリオが考慮され得る。１つの直接的な展開シナリオは、ＭＴＣ動作をサポートするために、何らかの狭帯域幅（例えば、１. ２５ＭＨｚ）を設けることである。そのような動作は規格の変更を必要としない。そして、より興味深いシナリオは、大きい帯域幅において低コストＵＥを動作させるためのものである。この場合、低コストＵＥは、通常のＵＥと共存し得る。大きい帯域幅における低コストＵＥの動作について２つの可能性のあるシナリオが考慮され得る。１つのシナリオでは、低コストＵＥは、全体の利用可能な帯域幅（例えば、最大２０ＭＨｚ）にわたって動作し得る。このシナリオは、規格上のいずれの変更も伴わずに済むが、コストおよびバッテリ電力消費を低減させるのに役立たない場合がある。別のシナリオでは、低コストＵＥは、帯域幅の小さい部分にわたって動作し得る。
【発明の概要】
【０００９】
[0010]  ロングタームエボリューション（ＬＴＥ）における制御チャネル（例えば、物理ダウンリンク制御チャネル（ＰＤＣＣＨ）および拡張されたＰＤＣＣＨ）についての伝送時間間隔（ＴＴＩ）バンドリングのための技法および装置が、本明細書で提供される。「ＬＴＥ」は、ＬＴＥおよびＬＴＥ−アドバンスト（ＬＴＥ−Ａ）と呼ばれ得る。
【００１０】
[0011]  本開示の特定の態様は、ユーザ機器（ＵＥ）によってサブフレームのバンドル上で（over a bundle of subframes）、バンドリングされた送信として送られるダウンリンク制御チャネルを処理するための方法を提供する。方法は、一般に、サブフレームのバンドルのうちの第１のサブフレームにおけるダウンリンク制御チャネルについての可能性のある復号候補（possible decoding candidate）の第１のセットと、サブフレームのバンドル内の第２のサブフレームにおけるダウンリンク制御チャネルについての可能性のある復号候補の第２のセットとの間のマッピングを決定することと、決定に少なくとも部分的に基づいて、サブフレームのバンドルを処理することとを含む。
【００１１】
[0012]  本開示の特定の態様は、ユーザ機器（ＵＥ）によってサブフレームのバンドル上で、バンドリングされた送信として送られるダウンリンク制御チャネルを処理するための方法を提供する。方法は、一般に、サブフレームのバンドルのうちの異なるサブフレームにおいて、ダウンリンク制御チャネルのためのレートマッチング（rate matching）をどのように行うかを決定することと、決定に少なくとも部分的に基づいて、サブフレームのバンドルを処理することとを含む。
【００１２】
[0013]  本開示の特定の態様は、ユーザ機器（ＵＥ：user equipment）によってサブフレームのバンドル上で、バンドリングされた送信として送られるダウンリンク制御チャネルを処理するための装置を提供する。装置は、一般に、サブフレームのバンドルのうちの第１のサブフレームにおけるダウンリンク制御チャネルについての可能性のある復号候補の第１のセットと、サブフレームのバンドル内の第２のサブフレームにおけるダウンリンク制御チャネルについての可能性のある復号候補の第２のセットとの間のマッピングを決定するための手段と、決定に少なくとも部分的に基づいて、サブフレームのバンドルを処理するための手段とを含む。
【００１３】
[0014]  本開示の特定の態様は、ユーザ機器（ＵＥ）によってサブフレームのバンドル上で、バンドリングされた送信として送られるダウンリンク制御チャネルを処理するための装置を提供する。装置は、一般に、サブフレームのバンドルのうちの第１のサブフレームにおけるダウンリンク制御チャネルについての可能性のある復号候補の第１のセットと、サブフレームのバンドル内の第２のサブフレームにおけるダウンリンク制御チャネルについての可能性のある復号候補の第２のセットとの間のマッピングを決定し、決定に少なくとも部分的に基づいて、サブフレームのバンドルを処理するように構成された少なくとも１つのプロセッサを含む。装置はまた、一般に、少なくとも１つのプロセッサに結合されたメモリを含む。
【００１４】
[0015]  本開示の特定の態様は、ワイヤレス通信システムを実装するためのプログラム命令を備える、コンピュータ読取可能記憶媒体を提供する。記憶媒体は、一般に、サブフレームのバンドルのうちの第１のサブフレームにおけるダウンリンク制御チャネルについての可能性のある復号候補の第１のセットと、サブフレームのバンドル内の第２のサブフレームにおけるダウンリンク制御チャネルについての可能性のある復号候補の第２のセットとの間のマッピングを決定するプログラム命令と、決定に少なくとも部分的に基づいて、サブフレームのバンドルを処理するプログラム命令とを含む。
【００１５】
[0016]  本開示の特定の態様は、ユーザ機器（ＵＥ）によってサブフレームのバンドル上で、バンドリングされた送信として送られるダウンリンク制御チャネルを処理するための装置を提供する。装置は、一般に、サブフレームのバンドルのうちの異なるサブフレームにおいてダウンリンク制御チャネルのためのレートマッチングをどのように行うかを決定するための手段と、決定に少なくとも部分的に基づいて、サブフレームのバンドルを処理するための手段とを含む。
【００１６】
[0017]  本開示の特定の態様は、ユーザ機器（ＵＥ）によってサブフレームのバンドル上で、バンドリングされた送信として送られるダウンリンク制御チャネルを処理するための装置を提供する。装置は、一般に、サブフレームのバンドルのうちの異なるサブフレームにおいてダウンリンク制御チャネルのためのレートマッチングをどのように行うかを決定し、決定に少なくとも部分的に基づいて、サブフレームのバンドルを処理するように構成された、少なくとも１つのプロセッサを含む。装置はまた、一般に、少なくとも１つのプロセッサに結合されたメモリを含む。
【００１７】
[0018]  本開示の特定の態様は、ワイヤレス通信システムを実装するためのプログラム命令を備える、コンピュータ読取可能記憶媒体を提供する。記憶媒体は、一般に、サブフレームのバンドルのうちの異なるサブフレームにおいて、ダウンリンク制御チャネルのためのレートマッチングをどのように行うかを決定するプログラム命令と、決定に少なくとも部分的に基づいて、サブフレームのバンドルを処理するプログラム命令とを含む。
【００１８】
[0019]  本開示の特定の態様は、基地局（ＢＳ）によってサブフレームのバンドル上で、バンドリングされた送信としてダウンリンク制御チャネルを送るための方法を提供する。方法は、一般に、サブフレームのバンドルのうちの第１のサブフレームにおけるダウンリンク制御チャネルについての可能性のある復号候補の第１のセットと、サブフレームのバンドル内の第２のサブフレームにおけるダウンリンク制御チャネルについての可能性のある復号候補の第２のセットとの間のマッピングを決定することと、決定に少なくとも部分的に基づいて、サブフレームのバンドルを送ることとを含む。
【００１９】
[0020]  本開示の特定の態様は、基地局（ＢＳ）によってサブフレームのバンドル上で、バンドリングされた送信としてダウンリンク制御チャネルを送るための装置を提供する。装置は、一般に、サブフレームのバンドルのうちの第１のサブフレームにおけるダウンリンク制御チャネルについての可能性のある復号候補の第１のセットと、サブフレームのバンドル内の第２のサブフレームにおけるダウンリンク制御チャネルについての可能性のある復号候補の第２のセットとの間のマッピングを決定するための手段と、決定に少なくとも部分的に基づいて、サブフレームのバンドルを送るための手段とを含む。
【００２０】
[0021]  本開示の特定の態様は、基地局（ＢＳ）によってサブフレームのバンドル上で、バンドリングされた送信としてダウンリンク制御チャネルを送るための装置を提供する。装置は、一般に、サブフレームのバンドルのうちの第１のサブフレームにおけるダウンリンク制御チャネルについての可能性のある復号候補の第１のセットと、サブフレームのバンドル内の第２のサブフレームにおけるダウンリンク制御チャネルについての可能性のある復号候補の第２のセットとの間のマッピングを決定し、決定に少なくとも部分的に基づいて、サブフレームのバンドルを送るように構成された少なくとも１つのプロセッサを含む。
【００２１】
[0022]  本開示の特定の態様は、ワイヤレス通信システムを実装するためのプログラム命令を備える、コンピュータ読取可能記憶媒体を提供する。記憶媒体は、一般に、サブフレームのバンドルのうちの第１のサブフレームにおけるダウンリンク制御チャネルについての可能性のある復号候補の第１のセットと、サブフレームのバンドル内の第２のサブフレームにおけるダウンリンク制御チャネルについての可能性のある復号候補の第２のセットとの間のマッピングを決定し、決定に少なくとも部分的に基づいて、サブフレームのバンドルを送るプログラム命令を含む。
【００２２】
[0023]  方法、装置システム、コンピュータプログラム製品、および処理システムを含む多数の他の態様が提供される。
【図面の簡単な説明】
【００２３】
[0024]  本開示の特徴の上述される方法が詳細に理解できるように、上記では簡潔に要約されたより具体的な説明は、そのいくつかが添付の図面に図示される実施形態を参照することによって行われ得る。しかしながら、添付の図面は本開示の特定の典型的な態様のみを図示しており、したがって、その説明が他の同等に効果的な態様を認めうるため、その範囲を限定するものと考慮されるべきではないことに留意されたい。
【図１】[0025]  図１は、本開示の特定の実施形態に従った、多元接続ワイヤレス通信システムを図示する。
【図２】[0026]  図２は、本開示の特定の実施形態に従った、通信システムのブロック図を図示する。
【図３】[0027]  図３は、本開示の特定の実施形態に従った、ユーザ機器（ＵＥ）によってサブフレームのバンドル上で、バンドリングされた送信として送られるダウンリンク制御チャネルを処理するための例示的な動作を図示する。
【図４】[0028]  図４は、本開示の特定の実施形態に従った、ユーザ機器（ＵＥ）によってサブフレームのバンドル上で、バンドリングされた送信として送られるダウンリンク制御チャネルを処理するための例示的な動作を図示する。
【図５】[0029]  図５は、本開示の特定の実施形態に従った、ｅノードＢ（ｅＮＢ）によってサブフレームのバンドル上で、バンドリングされた送信としてダウンリンク制御チャネルを送るための例示的な動作を図示する。
【発明を実施するための形態】
【００２４】
[0030]  ロングタームエボリューション（ＬＴＥ）において制御チャネル（例えば、物理ダウンリンク制御チャネル（ＰＤＣＣＨ）または拡張されたＰＤＣＣＨ）についての伝送時間間隔（ＴＴＩ）バンドリングのための技法が、本明細書で提供される。特定の態様によると、バンドリングされたサブフレームにおける復号候補が識別され得る。異なるサブフレームは、異なるサブフレームにおいてサポートされた異なるアグリゲーションレベル（aggregation level）、異なる数の可能性のある復号候補、サブフレーム構成、または制御チャネルがＰＤＣＣＨであるかＥＰＤＣＣＨであるかに基づいて、異なる復号候補を有し得る。バンドル内のサブフレームは、復号候補が異なる場合に、異なって処理され得る。例えば、特定のサブフレームまたは特定の復号候補がモニタリング／復号のために無視され得る。別の例では、バンドリングされたサブフレームのうちの１つにおけるアグリゲーションレベルは、バンドリングされたサブフレームによって強化され得るか、またはバンドルにおける別のサブフレームにおいてサポートされるアグリゲーションレベルにマッピングされ得る。
【００２５】
[0031]  ここで、様々な態様が図面を参照して説明される。以下の記述では、説明の目的で、１つまたは複数の態様の十分な理解を提供するために多くの具体的な詳細が説明される。しかしながら、このような態様がこれらの特定の詳細なしに実施され得ることは明らかであり得る。
【００２６】
[0032]  本願で使用される場合、「コンポーネント」、「モジュール」、「システム」等の用語は、それに限定されるものではないが、ハードウェア、ソフトウェア／ファームウェア、ハードウェアとソフトウェア／ファームウェアとの組み合わせ、または実行中のソフトウェア／ファームウェアのような、コンピュータ関連エンティティを含むように意図される。例えば、コンポーネントは、それに限定されるものではないが、プロセッサで実行中のプロセス、プロセッサ、オブジェクト、実行ファイル（executable）、実行スレッド、プログラム、および／またはコンピュータであり得る。例として、コンピューティングデバイス上で実行中のアプリケーションとコンピューティングデバイスとの両方が、コンポーネントであり得る。１つまたは複数のコンポーネントが、プロセスおよび／または実行スレッド内に存在し得、１つのコンポーネントが、１つのコンピュータでローカライズされ、および／または２つ以上のコンピュータ間で分散され得る。加えて、これらのコンポーネントは、記憶された様々なデータ構造を有する様々なコンピュータ読取可能媒体から実行され得る。これらコンポーネントは、信号を介して、ローカルシステム、分散システム内の別のコンポーネントと相互作用し、および／またはインターネットのようなネットワークを介して他のシステムと相互作用する１つのコンポーネントからのデータのような、１つまたは複数のデータパケットを有する信号に従うことなどの、ローカルプロセスおよび／またはリモートプロセスを介して通信し得る。
【００２７】
[0033]  さらに、本明細書では、様々な態様が、端末に関連して説明され、それは、ワイヤード端末またはワイヤレス端末であり得る。端末は、システム、デバイス、加入者ユニット、加入者局、モバイル局、モバイル、モバイルデバイス、リモート局、リモート端末、アクセス端末、ユーザ端末、通信デバイス、ユーザエージェント、ユーザデバイス、またはユーザ機器（ＵＥ）とも呼ばれ得る。ワイヤレス端末は、セルラ電話、衛星電話、コードレス電話、セッション開始プロトコル（ＳＩＰ）電話、スマートフォン、タブレット、ウルトラブック、ネットブック、スマートブック、無線ローカルループ（ＷＬＬ）局、携帯情報端末（ＰＤＡ）、ワイヤレス接続機能を有するハンドヘルドデバイス、コンピューティングデバイス、または、ワイヤレスモデムに接続された他の処理デバイスであり得る。さらに、本明細書では、様々な態様が、基地局に関連して説明される。基地局は、無線端末と通信するために利用され得、またアクセスポイント、ノードＢ、または何らかの他の用語でも呼ばれ得る。
【００２８】
[0034]  さらに、「または（or）」という用語は、排他的な「または」というよりもむしろ、包括的な「または」を意味することが意図される。すなわち、特に指定されない限り、または文脈から明白でない限り、「ＸはＡまたはＢを使用する」という句は、自然な包括的置換のいずれかを意味することが意図される。つまり、「ＸはＡまたはＢを使用する」という句は、ＸがＡを使用する場合、ＸがＢを使用する場合、またはＸがＡとＢの両方を使用する場合のいずれによっても満たされる。さらに、本願および添付の請求項で使用される冠詞「ａ」および「ａｎ」は、特に指定されない限り、または単数形を示すことが文脈から明白でない限り、概して「１つまたは複数」を意味するものと解釈されるべきである。
【００２９】
[0035]  本明細書で説明される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワークなどのような様々なワイヤレス通信ネットワークのために使用され得る。「ネットワーク」および「システム」という用語は、しばしば交換可能なように使用される。ＣＤＭＡネットワークは、ユニバーサル地上無線アクセス（ＵＴＲＡ）、ｃｄｍａ２０００などのような無線技術を実現し得る。ＵＴＲＡは、広帯域ＣＤＭＡ（Ｗ−ＣＤＭＡ（登録商標））を含む。ＣＤＭＡ２０００は、ＩＳ−２０００、ＩＳ−９５およびＩＳ−８５６規格をカバーする。ＴＤＭＡネットワークは、モバイル通信のためのグローバルシステム（ＧＳＭ（登録商標））のような無線技術を実現し得る。
【００３０】
[0036]  ＯＦＤＭＡネットワークは、発展型ＵＴＲＡ（Ｅ−ＵＴＲＡ）、電気電子技術者協会（ＩＥＥＥ）８０２．１１、ＩＥＥＥ ８０２．１６、ＩＥＥＥ ８０２．２０、フラッシュＯＦＤＭ（登録商標）、などのような無線技術を実装し得る。ＵＴＲＡ、Ｅ−ＵＴＲＡ、およびＧＳＭは、ユニバーサルモバイルテレコミュニケーションシステム（ＵＭＴＳ）の一部である。ロングタームエボリューション（ＬＴＥ）は、Ｅ−ＵＴＲＡを使用するＵＭＴＳの最近のリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と名付けられた団体からの文書内で説明されている。ＣＤＭＡ２０００は、「第３世代パートナーシッププロジェクト２（３ＧＰＰ２）」と名付けられた団体からの文書に説明されている。これらの様々な無線技術および規格は、当該技術分野において周知である。明確化のために、これらの技法の特定の態様は、下記でＬＴＥ／ＬＴＥ−Ａについて説明されており、ＬＴＥ／ＬＴＥ−Ａの専門用語が下記説明の大部分で使用される。ＬＴＥの専門用語が図面の方法によって使用され、開示の範囲がＬＴＥに制限されないことに留意されたい。むしろ、本明細書で開示される技法は、パーソナルエリアネットワーク（ＰＡＮ）、ボディエリアネットワーク（ＢＡＮ）、ロケーション、Ｂｌｕｅｔｏｏｔｈ（登録商標）、ＧＰＳ、ＵＷＢ、ＲＦＩＤなどのような、ワイヤレス送信を含む、様々なアプリケーションで利用され得る。さらに、技法はまた、ケーブルモデム、ファイバーベースのシステム（fiber-based systems）などのような、ワイヤードシステムで利用され得る。
【００３１】
[0037]  単一のキャリア変調および周波数領域等化を利用する、単一のキャリア周波数分割多元接続（ＳＣ−ＦＤＭＡ）は、ＯＦＤＭＡシステムのものと同様の性能および本質的に同じ全体の複雑性を有している。ＳＣ−ＦＤＭＡ信号は、それの固有のシングルキャリア構造のために、より低いピーク対平均電力比（ＰＡＰＲ）を有し得る。ＳＣ−ＦＤＭＡは、送信電力効率という点で、より低いＰＡＰＲがモバイル端末に大いに利益をもたらすアップリンク通信において使用され得る。ＳＣ−ＦＤＭＡは、３ＧＰＰロングタームエボリューション（ＬＴＥ）または発展型ＵＴＲＡのアップリンク多元接続方式に対する現在の作業仮説（working assumption）である。
【００３２】
［ワイヤレス通信システムの例］
[0038]  図１を参照すると、一態様による多元接続ワイヤレス通信システム１００が図示される。アクセスポイント１０２（ＡＰ）は、複数のアンテナグループを含んでおり、これらのグループのうちの１つは１０４および１０６を含み、もう１つは１０８および１１０を含み、さらにもう１つは１１２および１１４を含む。図１では、各アンテナグループにつき２つのアンテナのみが示されているが、より多くのアンテナまたはより少ないアンテナが各アンテナグループのために利用され得る。アクセス端末１１６（ＡＴ）は、アンテナ１１２および１１４と通信中であり、ここで、アンテナ１１２および１１４は、順方向リンク１２０によってアクセス端末１１６に情報を送信し、逆方向リンク１１８によってアクセス端末１１６から情報を受信する。アクセス端末１２２は、アンテナ１０６および１０４と通信中であり、アンテナ１０６および１０４は、順方向リンク１２６によってアクセス端末１２２に情報を送信し、逆方向リンク１２４によってアクセス端末１２２から情報を受信する。周波数分割複信（ＦＤＤ）システムにおいて、通信リンク１１８、１２０、１２４、および１２６は、通信のために異なる周波数を使用し得る。例えば、逆方向リンク１１８は、順方向リンク１２０によって使用されるものとは異なる周波数を使用し得る。
【００３３】
[0039]  アンテナの各グループおよび／またはそれらが通信するように設計されたエリアは、しばしば、アクセスポイントのセクタと呼ばれる。態様において、アンテナグループの各々は、アクセスポイント１０２によってカバーされるエリアのセクタ内でアクセス端末と通信をするように設計されている。
【００３４】
[0040]  順方向リンク１２０および１２６を介した通信では、アクセスポイント１０２の送信アンテナは異なるアクセス端末１１６および１２２のための順方向リンクの信号対雑音比を改善するためにビームフォーミングを利用する。また、そのカバレッジにわたってランダムに散在したアクセス端末に送信するためにビームフォーミングを使用するアクセスポイントは、単一のアンテナを通じて全てのそのアクセス端末に送信するアクセスポイントよりもより少ない干渉を隣接するセル内のアクセス端末にもたらす。
【００３５】
[0041]  アクセスポイントは、端末と通信するために使用される固定された局であり得、またノードＢ、発展型ノードＢ（ｅＮＢ）、または何らかの他の専門用語でも呼ばれ得る。アクセス端末はまた、モバイル局、ユーザ機器（ＵＥ）、ワイヤレス通信デバイス、端末、または何らかの他の専門用語でも呼ばれ得る。特定の態様について、ＡＰ１０２またはアクセス端末１１６、１２２のいずれかは、システムの性能を改善するために、提示された干渉除去技法を利用し得る。
【００３６】
[0042]  図２は、ＭＩＭＯシステム２００における送信機システム２１０および受信機システム２５０の態様のブロック図である。送信機システム２１０において、多数のデータストリームのためのトラフィックデータが、データソース２１２から送信（ＴＸ）データプロセッサ２１４に供給される。本開示の実施形態はまた、図２のワイヤライン（ワイヤード）と同等のシステムに対して適用可能である。送信機システム２１０と受信機システム２５０の両方は、送信および受信（例えば、下記に説明されるような）を行い得る。
【００３７】
[0043]  一態様では、各データストリームは、それぞれの送信アンテナを介して送信される。ＴＸデータプロセッサ２１４は、コード化されたデータを提供するために、各データストリームのためのトラフィックデータをそのデータストリームのために選択された特定のコード化方式に基づいて、フォーマット、コード化、およびインターリーブする。
【００３８】
[0044]  各データストリームのための符号化データは、ＯＦＤＭ技術を使用してパイロットデータとともに多重化され得る。パイロットデータは典型的に、周知の方法で処理される周知のデータパターンであり、チャネル応答を推定するために受信機システムで使用され得る。それぞれのデータストリームのための多重化されたパイロットおよびコード化されたデータはその後、変調シンボルを提供するために、そのデータストリームのために選択された特定の変調方式（例えば、２相位相変調（ＢＰＳＫ）、４相位相変調（ＱＰＳＫ）、Ｍが２の冪乗であり得るＭ−ＰＳＫ、またはＭ−ＱＡＭ（直交振幅変調））に基づいて変調される（例えば、シンボルマッピングされる）。データストリームごとのデータレート、コード化、および変調は、メモリ２３２と組み合わせられ得るプロセッサ２３０によって実行される命令によって決定され得る。
【００３９】
[0045]  全てのデータストリームのための変調シンボルは次に、ＴＸ ＭＩＭＯプロセッサ２２０に提供され、それはさらに（例えば、ＯＦＤＭのために）変調シンボルを処理し得る。ＴＸ ＭＩＭＯプロセッサ２２０は次に、ＮＴ個の変調シンボルストリームをＮＴ個の送信機（ＴＭＴＲ）２２２ａ〜２２２ｔに提供する。特定の態様では、ＴＸ ＭＩＭＯプロセッサ２２０は、データストリームのシンボルと、シンボルが送信されるアンテナとにビームフォーミング重みを適用する。
【００４０】
[0046]  各送信機２２２は、１つまたは複数のアナログ信号を提供するために、それぞれのシンボルストリームを受信および処理し、ＭＩＭＯチャネルを介した送信に適した変調信号を提供するためにこれらのアナログ信号をさらに調整（例えば、増幅、フィルタリング、およびアップコンバート）する。送信機２２２ａ〜２２２ｔからのＮＴ個の変調信号は次に、それぞれＮＴ個のアンテナ２２４ａ〜２２４ｔから送信される。
【００４１】
[0047]  受信機システム２５０において送信される変調信号は、ＮＲ個のアンテナ２５２ａ〜２５２ｒによって受信され、各アンテナ２５２からの受信された信号は、それぞれの受信機（ＲＣＶＲ）２５４ａ〜２５４ｒに提供される。各受信機２５４は、それぞれの受信された信号を調整（例えば、フィルタリング、増幅、およびダウンコンバート）し、サンプルを提供するために調整された信号をデジタル化し、対応する「受信された」シンボルストリームを提供するためにこれらのサンプルをさらに処理する。
【００４２】
[0048]  ＲＸデータプロセッサ２６０は次に、ＮＴ個の「検出された」シンボルストリームを提供するために、特定の受信機処理技法に基づいてＮＲ個の受信機２５４からＮＲ個の受信されたシンボルストリームを受信および処理する。ＲＸデータプロセッサ２６０は次に、データストリームのためのトラフィックデータを復元するために、各検出されたシンボルストリームを復調、デインターリーブ、および復号する。ＲＸデータプロセッサ２６０による処理は、送信機システム２１０においてＴＸ ＭＩＭＯプロセッサ２２０およびＴＸデータプロセッサ２１４によって実行されるものと相補的である。下記でさらに詳細に説明されるように、ＲＸデータプロセッサ２６０は、受信された信号上の干渉を除去するために、干渉除去を利用し得る。
【００４３】
[0049]  プロセッサ２７０は、メモリ２７２に結合され、逆方向リンクメッセージを示す。逆方向リンクメッセージは、通信リンクおよび／または受信されたデータストリームに関する様々なタイプの情報を備え得る。逆方向リンクメッセージは次に、データソース２３６からも多数のデータストリームのためのトラフィックデータを受信するＴＸデータプロセッサ２３８によって処理され、変調器２８０によって変調され、送信機２５４ａ〜２５４ｒによって調整され、送信機システム２１０へと返信される。
【００４４】
[0050]  送信機システム２１０において、受信機システム２５０からの変調信号は、受信機システム２５０によって送信される逆方向リンクメッセージを抽出するために、アンテナ２２４によって受信され、受信機２２２によって調整され、復調器２４０によって復調され、ＲＸデータプロセッサ２４２によって処理される。
【００４５】
［ＬＴＥにおける制御チャネルのためのＴＴＩバンドリングの例］
[0051]  特定のシステム（例えば、ロングタームエボリューション（ＬＴＥ）Ｒｅｌｅａｓｅ８−１０）では、伝送時間間隔（ＴＴＩ）（すなわち、サブフレーム）バンドリングは、ユーザ機器（ＵＥ）ベースごとに構成され得る。サブフレームバンドリング動作は、上位レイヤによって提供されるパラメータttiBundlingによって構成され得る。
【００４６】
[0052]  ＴＴＩバンドリングがＵＥについて構成される場合、サブフレームバンドリング動作は、アップリンク（ＵＬ）共有チャネル（ＳＣＨ）に対してのみ適用され得る−他のＵＬ信号／トラフィック（例えば、アップリンク制御情報（ＵＣＩ））に対しては適用されない。バンドリングサイズは、４つのサブフレームで固定され得る。すなわち、物理アップリンク共有チャネル（ＰＵＳＣＨ）は、４つの連続したサブフレームにおいて送信され得る。同じハイブリッド自動再送要求（ＨＡＲＱ）処理の数は、バンドリングされたサブフレームの各々において使用され得る。リソース割り当てサイズは、最大で３つのリソースブロック（ＲＢ）に制限され得る。変調次数は、２に設定され得る（例えば、ＱＰＳＫ）。１つのバンドルは、例えば、単一の許可および単一のＨＡＲＱ肯定応答（ＡＣＫ）がバンドルごとに使用され得る、単一のリソースとして扱われ得る。
【００４７】
[0053]  ＴＴＩバンドリングは主に、低いレートのトラフィックに使用され得る。ボイスオーバインターネットプロトコル（ＶｏＩＰ）パケットが、アップリンクのための低いリンクバジェットに起因して、単一のＴＴＩでは送信されない場合、レイヤ２（Ｌ２）のセグメンテーションが適用され得る。例えば、ＶｏＩＰパケットは、４つの連続したＴＴＩで送信される４つの無線リンク制御（ＲＬＣ）プロトコルデータユニット（ＰＤＵ）にセグメント化され得、十分なカバレッジを達成するために２または３つのＨＡＲＱ再送信がターゲットとされ得る。しかしながら、このアプローチは、いくつかの欠点を有し得る。例えば、各追加のセグメントは、１バイトのＲＬＣ、１バイトの媒体アクセス制御（ＭＡＣ）、および３バイトのＬ１サイクリック冗長チェック（ＣＲＣ）オーバーヘッド（例えば、３３バイトのＲＬＣサービスデータユニット（ＳＤＵ）サイズと仮定すると１５％のオーバーヘッド）を導入し得る。これは、４つのセグメントについて、４５％の追加のＬ１／Ｌ２オーバーヘッドが存在し得ることを意味する。
【００４８】
[0054]  加えて、各セグメントについてのＨＡＲＱ送信／再送信は、物理ダウンリンク制御チャネル（ＰＤＣＣＨ）上での許可を要求し得、それは、かなりのＰＤＣＣＨリソースを消費する。各ＨＡＲＱ送信または再送信の後に、物理ＨＡＲＱインジケータチャネル（ＰＨＩＣＨ）上でのＨＡＲＱフィードバックが続き得る。ＮＡＣＫ／ＡＣＫ誤り比を１０−３と仮定すると、多くの数のＨＡＲＱフィードバック信号は、高いパケット損失確率（packet loss probability）を招き得る。例えば、１２個のＨＡＲＱフィードバック信号が送られる場合、ＨＡＲＱフィードバック誤り比は、１．２×１０−２程度であり得る。１０−２よりも大きいパケット損失比は、ＶｏＩＰトラフィックには許容不可能である。
【００４９】
[0055]  ＴＴＩバンドリングでは、ＴＴＩバンドリングごとに単一のアップリンクグラントおよび単一のＰＨＩＣＨ信号のみを使用することは有利であり得る。またＬ１およびＬ２オーバーヘッドは、Ｌ２のセグメンテーションが要求されないため、最小化され得る。
【００５０】
[0056]  媒体データレートのＰＵＳＣＨおよびＵＬ ＶｏＩＰのためのカバレッジの改善が望ましいだろう。可能な解決法（potential solution）を特定することを考慮した最小利得は、媒体データレートのＰＵＳＣＨおよびＵＬ ＶｏＩＰの両方について１ｄＢであり得る。Ｌ１／上位レイヤプロトコルオーバヘッドおよびレイテンシを考慮する場合、可能な解決法は、媒体データレートおよびＶｏＩＰについてのＴＴＩバンドリングの拡張である。
【００５１】
[0057]  低コストに加えて、１５ｄＢから２０ｄＢのカバレッジ拡張は、低カバレッジエリア内の（例えば、地下において）デバイス（例えばマシン型通信（ＭＴＣ）デバイス）をカバーすることが望ましいだろう。大きいＴＴＩバンドリングサイズ（例えば、１００個のサブフレームのオーダーにおいて）は、ＵＬカバレッジ拡張をアドレスするための、１つの可能性のある解決法であり得る。大きいＴＴＩバンドリングサイズは、場合によっては、同様にダウンリンク（ＤＬ）カバレッジ拡張について考慮され得る。
【００５２】
[0058]  ＤＬにおいて、ＴＴＩバンドリングは、物理ブロードキャストチャネル（ＰＢＣＨ）、ＰＤＣＣＨ、拡張されたＰＤＣＣＨ（ＥＰＤＣＣＨ）、ＰＨＩＣＨ、および物理ダウンリンク共有チャネル（ＰＤＳＣＨ）のために提示されている。ＵＬにおいて、ＴＴＩバンドリングは、ランダムアクセスチャネル（ＲＡＣＨ）、物理アップリンク制御チャネル（ＰＵＣＣＨ）、およびＰＵＳＣＨのために提示されている。
【００５３】
[0059]  ＰＤＣＣＨおよびＥＰＤＣＣＨのためのＴＴＩバンドリングについて、同じバンドルの異なるサブフレーム内の別の候補と１つのサブフレーム内の別の復号候補とをリンクさせることが望ましいだろう。いくつかの場合には、所与のアグリゲーションレベルは１つのサブフレームにおいてサポートされ得るが、別のサブフレームにおいてはサポートされない可能性がある。例えば、アグリゲーションレベルは、リソースの利用可能性の変更（resource availability change）（例えば、異なるＰＣＦＩＣＨの値、ＥＰＤＣＣＨのためのリソースの異なる利用可能性−特に、物理リソースブロック（ＰＲＢ：physical resource block）ペアにおけるＥＰＤＣＣＨのための利用可能なリソースエレメント（ＲＥ：resource element）の数をキャプチャする、パラメータｎＥＰＤＣＣＨ）に起因して、利用不可能となり得る。いくつかの場合には、全体のサーチスペースは、バンドリングされた送信中のサブフレームにおいて利用不可能である。ＵＥは、少なくともＵＥ特定のサーチスペースのために異なるサブフレームにおいてＰＤＣＣＨおよびＥＰＤＣＣＨの両方をモニタリングし得る。バンドリングされたＰＤＣＣＨおよび／またはＥＰＤＣＣＨのためのレートマッチングを慎重に設計することが望ましいだろう。
【００５４】
[0060]  従って、望ましいものは、上述の問題を解消し得るＰＤＣＣＨおよびＥＰＤＣＣＨについてのＴＴＩバンドリングのための技法である。
【００５５】
[0061]  ＬＴＥにおけるＰＤＣＣＨおよびＥＰＤＣＣＨのための伝送時間間隔（ＴＴＩ）バンドリングについての技法が、本明細書で提供される。特定の態様によると、バンドリングされたサブフレームにおける復号候補が識別され得る。異なるサブフレームは、異なるサブフレームにおいてサポートされた異なるアグリゲーションレベル、異なる数の可能性のある復号候補、サブフレーム構成、または制御チャネルがＰＤＣＣＨであるかＥＰＤＣＣＨであるかに基づいて、異なる復号候補を有し得る。バンドル内のサブフレームは、復号候補が異なる場合に、異なって処理され得る。例えば、特定のサブフレームまたは特定の復号候補がモニタリング／復号のために無視され得る。別の例では、バンドリングされたサブフレームのうちの１つにおけるアグリゲーションレベルは、バンドリングされたサブフレームによって強化され得るか、またはバンドルにおける別のサブフレームにおいてサポートされるアグリゲーションレベルにマッピングされ得る。
【００５６】
［ＴＴＬバンドルにおける復号候補リンケージ］
[0062]  特定の態様によると、復号候補がリンクされ得る（例えば、異なるサブフレーム内の候補にリンクされた１つのサブフレーム内の候補）。態様では、復号候補リンケージは、サーチスペース（例えば、共通対ＵＥ固有）アグリゲーションレベル、アグリゲーションレベル内の復号候補、ＥＰＤＣＣＨの場合のＥＰＤＣＣＨリソースセット、特定のアグリゲーションレベルの利用可能性、ダウンリンク制御情報（ＤＣＩ）フォーマット、制御チャネルタイプ（例えば、ＰＤＣＣＨまたはＥＰＤＣＣＨ）、あるいはそれらのいくつかの組合せに基づき得る。１つの例では、同じバンドルについての異なるサブフレームにわたって、復号候補の１つの直接的なリンケージは、ＥＰＤＣＣＨ、同じＤＣＩフォーマット、および同じ制御チャネルタイプである場合に、同じサーチスペース、同じアグリゲーションレベル、アグリゲーションレベルを用いた同じ復号候補インデックス、同じリソースセットのものであり得る。しかしながら、それは、いくつかの特別なケースを処理することが望ましいだろう。
【００５７】
［特別なケース］
[0063]  特定の態様によると、１つの例では、ＰＤＣＣＨバンドリングを有する復号候補は、アグリゲーションレベル８を有し得る。従って、ＰＤＣＣＨのための８制御チャネルエレメント（ＣＣＥ：control channel element）は、バンドル内の第１のサブフレームにおいて利用可能であり得るが、バンドル内の第２のサブフレームにおいて利用不可能であり得る。態様では、バンドリングされた送信からの第２のサブフレームは無視され得るが、候補は未だ、８ＣＣＥが利用可能である残りのサブフレームにおいて復号／モニタリングされ得る。代替的に、復号候補の全体が無視され得る。すなわち、復号候補が不完全な送信機会を有している限り、その候補は、復号のためにＵＥによって無視され得る。
【００５８】
[0064]  特定の態様によると、ＥＰＤＣＣＨバンドリングを有する復号候補は、利用可能なリソースの第１の数（例えば、ｎＥＰＤＣＣＨが１０４以上である）を有する第１のサブフレームにおいて、アグリゲーションレベルＬを有し得るが、同じバンドルの第２のサブフレームでは、利用可能なリソース（例えば、ｎＥＰＤＣＣＨが１０４より少ない）がより少ないだろう。パラメータｎＥＰＤＣＣＨは、第１のＥＰＤＣＣＨリソースセット内の、ＥＰＤＣＣＨについて利用可能な物理リソースブロックのペアにおけるダウンリンクリソース要素の数を特定のＵＥに対して示す（ＵＥは、１つ以上のＥＰＤＣＣＨリソースセットで構成され得る）。バンドルの第１および第２のサブフレームにおけるｎＥＰＤＣＣＨの異なる値に起因して、ＵＥによってサポートされた第１のサブフレームにおけるアグリゲーションレベルのセットは、ＵＥによってサポートされた第２のサブフレームにおけるアグリゲーションレベルのセットとは異なり得る。さらに、１対１のマッピングは存在しない可能性がある。例えば、第１のフレームにおけるアグリゲーションレベルは、ＥＰＤＣＣＨのリソースセットのリソース制約に起因して、第２のフレームにおける対応するアグリゲーションレベルを発見しない可能性がある。
【００５９】
[0065]  特定の態様によると、バンドル内のサブフレームにわたる、同じアグリゲーションレベルは、ｎＥＰＤＣＣＨとは関係なく強化され得る。代替として、１対１のマッピングは、第１のサブフレームにおけるアグリゲーションレベルＬ１と第２のサブフレームにおけるアグリゲーションレベルＬ２との間で特定され得る（例えば、第２のサブフレームにおけるレベル２に対応する、第１のサブフレームにおけるレベル１、第２のサブフレームにおけるレベル４に対応する、第１のサブフレームにおけるレベル２など）。より一般的には、１対１のマッピングは、第１のサブフレーム内の復号候補と第２のサブフレーム内の復号候補との間で特定され得、ここで、２つの復号候補は、同じアグリゲーションレベルを有し得る、または有していない可能性がある。２つのサブフレームのうちの１つにおいて対応する復号候補がない場合、ＥＰＤＣＣＨバンドルに基づく復号候補は、対応するサブフレームを無視するか、または復号候補の全体を無視するかのいずれかであり得る。
【００６０】
[0066]  特定の態様によると、ＥＰＤＣＣＨバンドルは、第１のサブフレームにおけるアグリゲーションレベルＬを有し得る。ＥＰＤＣＣＨバンドルは、通常のサブフレーム構成、または３／４／８以外の特別なサブフレーム構成を有し得る。ＥＰＤＣＣＨバンドル内の第２のサブフレームは、特別なサブフレームであり得る（例えば、構成３／４／８を有する時分割複信（ＴＤＤ））。ＵＥによってサポートされ得る第１のサブフレームにおけるアグリゲーションレベルのセットは、ＵＥによってサポートされ得る第２のサブフレームにおけるアグリゲーションレベルのセットとは異なり得る。特定の態様では、同じアグリゲーションレベルは、バンドル内のサブフレームにわたって強化され得る。代替的に、１対１のマッピングは、第１のサブフレームにおけるアグリゲーションレベルＬ１と第２のサブフレームにおけるアグリゲーションレベルＬ２との間で特定され得る。より一般的には、１対１のマッピングは、第１のサブフレーム内の復号候補と第２のサブフレーム内の復号候補との間で特定され得、ここで、２つの復号候補は、同じアグリゲーションレベルを有し得る、または有していない可能性がある。２つのサブフレームのうちの１つにおいて対応する復号候補がない場合、ＥＰＤＣＣＨバンドルに基づく復号候補は、対応するサブフレームを無視するか、または復号候補の全体を無視するかのいずれかであり得る。
【００６１】
[0067]  特定の態様によると、サブフレームにおけるＥＰＤＣＣＨは、他の信号に起因して、モニタリング／復号するためにＵＥによってスキップされ得る。例えば、マルチメディアブロードキャストマルチキャストサービス（ＭＢＭＳ：multimedia broadcast multicast service）送信に起因して、ＥＰＤＣＣＨがスキップされ、ＵＥは、通常のＰＤＣＣＨを代わりにモニタリングし得る。別の例では、異なるサイクリックプリフィクス（ＣＰ）のポジショニング基準信号（ＰＲＳ：position reference signal）送信に起因して、ＥＰＤＣＣＨがスキップされ得る。特定の態様では、ＵＥの性質（behavior）は、対応するサブフレームがバンドリングされた送信からスキップされるようなものであり得る。しかしながら、バンドルにおけるいくつかのサブフレームがＥＰＤＣＣＨを搬送することができない場合、全てのＥＰＤＣＣＨ復号候補を完全にスキップすることが妥当ではない可能性がある。
【００６２】
[0068]  特定の態様では、ＵＥは、第１のサブフレームにおけるＰＤＣＣＨのＵＥ固有のサーチスペース（ＵＥＳＳ）、および第２のサブフレームにおけるＥＰＤＣＣＨのＵＥＳＳをモニタリングするように構成され得る。ＰＤＣＣＨ復号候補とＥＰＤＣＣＨ復号候補との間でいくつかのリンケージが行われ得る。しかしながら、それは複雑であり得、特に所与のＰＤＣＣＨがＣＲＳベースであり、ＥＰＤＣＣＨがＵＥ−ＲＳベースである。代わりに、バンドリングされた制御送信は、ＰＤＣＣＨまたはＥＰＤＣＣＨについて別個に行われ得る。簡略化のために、ＵＥは、各サーチスペースについてのバンドリングされた送信に基づく制御チャネルの１つのタイプのみをモニタリングし得る。例えば、ＵＥは、ＰＤＣＣＨ上のバンドリングされた共通サーチスペースとＰＤＣＣＨ上のバンドリングされたＵＥＳＳ、またはＰＤＣＣＨ上のバンドリングされた共通サーチスペースとＥＰＤＣＣＨ上のバンドリングされたＵＥＳＳのいずれかのみをモニタリングし得る−ＵＥは、ＰＤＣＣＨ上のバンドリングされた共通サーチスペース、ＰＤＣＣＨ上のバンドリングされたＵＥＳＳ、およびＥＰＤＣＣＨ上のバンドリングされたＵＥＳＳをモニタリングしない可能性がある。
【００６３】
[0069]  特定の態様によると、バンドリングされた制御チャネルレートマッチングについて、同じバンドル内の各サブフレームのためのレートマッチングは、別個に行われ得る。代替的に、同じバンドル内のサブフレームのためのレートマッチングは、共同で行われ得る。共同で行われたレートマッチングについて、バンドル内の第１のサブフレームのレートマッチングは、バンドル内の第２のサブフレームのレートマッチングに依存し得る。最も直接的な方法は、レートマッチングのために全体としてバンドリングされたサブフレームにおいて全てのリソースを扱うことであり得る。各サブフレームについて別個のレートマッチングを行うことは、レートマッチングを共同で行うことよりもより単純であり得るが、共同レートマッチングは、いくつかの制限された性能の利益（performance benefits）を有し得る。
【００６４】
[0070]  図３は、本開示の特定の態様に従った、サブフレームのバンドル上で、バンドリングされた送信として送られるダウンリンク制御チャネル（例えば、ＰＤＣＣＨまたはＥＰＤＣＣＨ）を処理するための動作３００の例を図示する。動作３００は、例えば、ＵＥによって（例えば、ＡＴ１１６と同様に）行われ得る。動作３００は、３０２において、サブフレームのバンドルのうちの第１のサブフレームにおけるダウンリンク制御チャネルについての可能性のある復号候補の第１のセットと、サブフレームのバンドル内の第２のサブフレームにおけるダウンリンク制御チャネルについての可能性のある復号候補の第２のセットとの間のマッピングを決定することによって始まり得る。
【００６５】
[0071]  態様では、可能性のある復号候補の第１のセットは、可能性のある復号候補の第２のセットとは異なり得る。態様では、ＵＥは、可能性のある復号候補の第２のセット内にはない、可能性のある復号候補の第１のセット内の復号候補を決定し得る。態様では、ＵＥは、復号のためにサブフレームのバンドルのうちの第２のサブフレームを無視し、サブフレームのバンドルのうちの第１のサブフレームにおいて決定された復号候補を復号し得る。代替的に、ＵＥは、サブフレームのバンドルのうちの第１のサブフレームおよびサブフレームのバンドルのうちの第２のサブフレームにおいて、決定された復号候補を無視し得る。
【００６６】
[0072]  態様では、可能性のある復号候補の第１のセットにおけるアグリゲーションレベルの復号候補は、可能性のある復号候補の第２のセットにおける同じアグリゲーションレベルの復号候補にマッピングされ得る。態様では、可能性のある復号候補の第１のセットにおける第１の復号候補は、可能性のある復号候補の第２のセットにおける第２の復号候補にマッピングされ得る。第１の復号候補および第２の復号候補は、異なるアグリゲーションレベル、アグリゲーションレベルについての復号候補の異なる数、または制御チャネルの異なるタイプを有し得る。
【００６７】
[0073]  態様では、ダウンリンク制御チャネルがＰＤＣＣＨである場合、ＵＥは、サブフレームにおける利用可能なＣＣＥの数に基づいて、可能性のある復号候補の第１のセットと可能性のある復号候補の第２のセットとの間のマッピングを決定し得る。ダウンリンク制御チャネルがＥＰＤＣＣＨである場合、ＵＥは、ＰＲＢペアにおけるＥＰＤＣＣＨについて利用可能なＲＥの数に基づいてサブフレームにおいてサポートされるアグリゲーションレベルを決定し得る。態様では、ダウンリンク制御チャネルは、第１のＥＰＤＣＣＨリソースセットと第２のＥＰＤＣＣＨリソースセットで構成されるＥＰＤＣＣＨであり得る。ＵＥは、第１のＥＰＤＣＣＨリソースセット内で第１のマッピングを決定し、第２のＥＰＤＣＣＨリソースセット内で第２のマッピングを決定し得る。
【００６８】
[0074]  特定の態様に従って、ＵＥは、共通サーチ空間（ＣＳＳ：common search space）およびＵＥ固有のサーチ空間（ＵＳＳ：UE-specific search space）において、復号候補をモニタリングし得る。ＵＥは、ＣＳＳ内で第１のマッピングを決定し得、ＵＳＳ内で第２のマッピングを決定し得る。
【００６９】
[0075]  特定の態様では、ＵＥは、ＰＤＣＣＨ内で第１のマッピングを決定し得、ＥＰＤＣＣＨ内で第２のマッピングを決定し得る。
【００７０】
[0076]  特定の態様では、第１のサブフレームの構成（例えば、サブフレームにおけるダウンリンク送信についてのシンボルの数、またはサブフレームタイプ）は、第２のサブフレームの構成とは異なり得る。ＵＥは、第１のサブフレームの構成および第２のサブフレームの構成に基づいてマッピングを決定し得る。
【００７１】
[0077]  ３０４において、ＵＥは、決定に少なくとも部分的に基づいて、サブフレームのバンドルを処理し得る。態様では、ＵＥは、サブフレームにおける他の信号（例えば、ＭＢＭＳまたはＰＲＳ）の存在に基づいてマッピングを決定し得る。態様では、ＵＥは、サブフレームのバンドル内の少なくとも１つのサブフレームにおいて、復号候補のうちの少なくとも１つを無視し得る。
【００７２】
[0078]  図４は、本開示の特定の実施形態に従った、サブフレームのバンドル上で、バンドリングされた送信として送られるダウンリンク制御チャネルを処理するための動作４００の例を図示する。動作４００は、例えば、ＵＥによって（例えば、ＡＴ１１６と同様に）行われ得る。動作４００は、４０２において、サブフレームのバンドルのうちの異なるサブフレームにおけるダウンリンク制御チャネルのためのレートマッチングをどのように行うかを決定することによって始まり得る。
【００７３】
[0079]  ４０４において、ＵＥは、決定に少なくとも部分的に基づいて、サブフレームのバンドルを処理し得る。例えば、ＵＥは、サブフレームのバンドルにおいて各サブフレームのためのレートマッチングを別個に行い得る。代替では、ＵＥは、サブフレームのバンドルにおいて各サブフレームのためのレートマッチングを共同で行い得る。
【００７４】
[0080]  図５は、本開示の特定の態様に従った、サブフレームのバンドル上で、バンドリングされた送信としてダウンリンク制御チャネル（例えば、ＰＤＣＣＨまたはＥＰＤＣＣＨ）を送るための動作５００の例を図示する。動作５００は、例えば、ｅＮＢ（例えば、ＡＰ１０２）によって行われ得る。動作５００は、５０２において、バンドルの第１のサブフレームにおけるダウンリンク制御チャネルについての可能性のある復号候補の第１のセットと、サブフレームのバンドル内の第２のサブフレームにおけるダウンリンク制御チャネルについての可能性のある復号候補の第２のセットとの間のマッピングを決定することによって始まり得る。態様では、可能性のある復号候補の第１のセットおよび可能性のある復号候補の第２のセットは、異なり得る。
【００７５】
[0081]  特定の態様に従って、可能性のある復号候補の第１のセットにおけるアグリゲーションレベルの復号候補は、可能性のある復号候補の第２のセットにおける同じアグリゲーションレベルの復号候補にマッピングされ得る。態様では、可能性のある復号候補の第１のセットにおける第１の復号候補は、可能性のある復号候補の第２のセットにおける第２の復号候補にマッピングされ得る。第１の復号候補および第２の復号候補は、異なるアグリゲーションレベル、アグリゲーションレベルについての復号候補の異なる数、または制御チャネルの異なるタイプを有し得る。
【００７６】
[0082]  態様では、ダウンリンク制御チャネルがＰＤＣＣＨである場合、ｅＮＢは、サブフレームのバンドルのうちのサブフレームにおける利用可能なＣＣＥの数に基づいて、可能性のある復号候補の第１のセットと可能性のある復号候補の第２のセットとの間のマッピングを決定し得る。代替では、ダウンリンク制御チャネルがＥＰＤＣＣＨである場合、ｅＮＢは、ＰＲＢペアにおけるＥＰＤＣＣＨについて利用可能なＲＥの数に基づいてサブフレームにおいてサポートされるアグリゲーションレベルを決定し得る。
【００７７】
[0083]  態様では、ダウンリンク制御チャネルは、第１のＥＰＤＣＣＨリソースセットと第２のＥＰＤＣＣＨリソースセットで構成されるＥＰＤＣＣＨであり得る。ｅＮＢは、第１のＥＰＤＣＣＨリソースセット内で第１のマッピングを決定し得、第２のＥＰＤＣＣＨリソースセット内で第２のマッピングを決定し得る。
【００７８】
[0084]  態様では、ｅＮＢは、ＰＤＣＣＨ内で第１のマッピングを決定し得、ＥＰＤＣＣＨ内で第２のマッピングを決定する。
【００７９】
[0085]  態様では、サブフレームのバンドルのうちの第１のサブフレームの構成は、第２のサブフレームの構成とは異なり得る。ｅＮＢは、第１のサブフレームの構成および第２のサブフレームの構成に基づいてマッピングを決定し得る。態様では、第１または第２のサブフレームの構成は、サブフレームにおけるダウンリンク送信についてのシンボルの数、またはサブフレームタイプであり得る。
【００８０】
[0086]  ５０４において、ｅＮＢは、決定に少なくとも部分的に基づいて、サブフレームのバンドルを送り得る。
【００８１】
[0087]  本明細書で使用される場合、項目のリスト「のうちの少なくとも１つ」に関する表現は、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図される。
【００８２】
[0088]  上述された方法の様々な動作は、図面に示されたミーンズ・プラス・ファンクション・ブロックに対応する、様々なハードウェアおよび／またはソフトウェア／ファームウェアコンポーネントおよび／またはモジュールによって実行され得る。本開示に関連して説明される様々な例示的な論理ブロック、モジュール、および回路は、本明細書において説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、離散ゲートまたはトランジスタ論理、離散ハードウェアコンポーネント、またはそれらの任意の組み合わせを用いて、実装または実行され得る。汎用プロセッサは、マイクロプロセッサであり得るが、代替的に、プロセッサは、市販の任意のプロセッサ、コントローラ、マイクロコントローラ、またはステートマシンであり得る。プロセッサはまた、コンピューティングデバイスの組み合わせとして、例えば、ＤＳＰとマイクロプロセッサの組み合わせ、複数のマイクロプロセッサ、ＤＳＰコアと連結された１つまたは複数のマイクロプロセッサ、任意の他のこのような構成として実装され得る。
【００８３】
[0089]  本開示にカレンして説明される方法のステップまたはアルゴリズムは、直接ハードウェアにおいて、プロセッサによって実行されるソフトウェア／ファームウェアモジュールにおいて、またはそれらの組合せにおいて、具現化され得る。ソフトウェア／ファームウェアモジュールは、当該技術で知られている任意の形態の記憶媒体中に存在し得る。使用され得る記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、位相変更メモリ（ＰＣＭ：memory, phase change memory）、レジスタ、ハードディスク、リムーバブルディスク、ＣＤ−ＲＯＭなどを含む。ソフトウェア／ファームウェアモジュールは、単一の命令または多くの命令を備え得、いくつかの異なるコードセグメントにわたって、異なるプログラム間で、および複数の記憶媒体にわたって、分散され得る。記憶媒体は、プロセッサが記憶媒体から情報を読み取り、記憶媒体に情報を書き込むことができるように、プロセッサに結合され得る。代替では、記憶媒体はプロセッサに統合され得る。
【００８４】
[0090]  本明細書に開示された方法は、説明された方法を達成するための１つまたは複数のステップまたはアクションを備える。方法のステップおよび／またはアクションは、本願の特許請求の範囲から逸脱せずに、互いに交換可能であり得る。言い換えると、ステップまたはアクションの特定の順序が指定されない限り、特定のステップおよび／またはアクションの順序および／または使用は、本願の特許請求の範囲から逸脱せずに変更され得る。
【００８５】
[0091]  説明された機能は、ハードウェア、ソフトウェア／ファームウェア、またはこれらの組み合わせで実装され得る。ソフトウェア／ファームウェアで実装される場合、機能は、コンピュータ読取可能媒体上で、１つまたは複数の命令として記憶され得る。記憶媒体は、コンピュータによってアクセスされ得る任意の利用可能な媒体であり得る。限定ではなく例として、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置、または他の磁気記憶デバイス、あるいは、データ構造または命令の形式で所望のプログラムコードを記憶または搬送するために使用可能であり、かつコンピュータによってアクセスされ得る、任意の他の媒体を備え得る。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここでディスク（disks）が通常磁気的にデータを再生する一方、ディスク（discs）は、レーザーを用いて光学的にデータを再生する。
【００８６】
[0092]  ソフトウェア／ファームウェア命令はまた、送信媒体上で送信され得る。例えば、ソフトウェア／ファームウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、この同軸ケーブル、光ファイバーケーブル、ツイストペア、ＤＳＬ、または赤外線、無線、およびマイクロ波のようなワイヤレス技術は、送信媒体の定義に含まれる。
【００８７】
[0093]  さらに、本明細書で説明された方法および技法を実行するためのモジュールおよび／または他の適切な手段は、適宜、ユーザ端末および／または基地局によってダウンロードされるおよび／またはそうでなければ取得され得ることが理解されるべきである。例えば、このようなデバイスは、本明細書で説明された方法を実行するための手段の転送を容易にするためにサーバに結合され得る。代替として、本明細書で説明される様々な方法は、ユーザ端末および／または基地局が、デバイスに記憶手段を結合または提供する際に様々な方法を取得し得るように、記憶手段（例えば、ＲＡＭ、ＲＯＭ、コンパクトディスク（ＣＤ）またはフロッピーディスクのような物理記憶媒体など）を介して提供され得る。さらに、本明細書で説明された方法および技法をデバイスに提供するための任意の他の適切な技法が利用され得る。
【００８８】
[0094]  本願の請求項は、上記に例示されたとおりの構成およびコンポーネントに限定されないことが理解されるべきである。様々な修正、変更、および変形が、説明される方法および装置の配置、動作および詳細において、特許請求の範囲から逸脱することなく行われ得る。
【００８９】
[0095]  前述の内容は、本開示の実施形態に向けられているが、本開示の他のおよびさらなる実施形態が、その基本的な範囲から逸脱せずに考案されることができ、その範囲は、下記の請求項によって決定される。
【図１】
2020188469.tif 000003
【図２】
2020188469.tif 000004
【図３】
2020188469.tif 000005
【図４】
2020188469.tif 000006
【図５】
2020188469.tif 000007
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
サブフレームの伝送時間間隔（ＴＴＩ）バンドルを占有するダウンリンク制御チャネル送信を復号する方法であって、
前記サブフレームのＴＴＩバンドルを決定することと、前記サブフレームのＴＴＩバンドルは、前記ダウンリンク制御チャネル送信が複数の連続したサブフレームの各々におけるアグリゲーションレベルで繰り返されるように構成された前記複数の連続したサブフレームを備え、
前記アグリゲーションレベルを有する少なくとも１つのダウンリンク制御チャネル復号候補が前記サブフレームのＴＴＩバンドルの第１のサブフレームにおいてサポートされることを決定することと、前記第１のサブフレームは、通常の時分割複信（ＴＤＤ）サブフレーム構成または第１の特別なＴＤＤサブフレーム構成を有し、
前記アグリゲーションレベルを有する前記少なくとも１つのダウンリンク制御チャネル復号候補が前記サブフレームのＴＴＩバンドルの第２のサブフレームにおいてサポートされないことを決定することと、前記第２のサブフレームは、第２の特別なＴＤＤサブフレーム構成を有し、
前記通常のＴＤＤサブフレーム構成または前記第１の特別なＴＤＤサブフレーム構成に基づいて前記第１のサブフレームにおける前記少なくとも１つのダウンリンク制御チャネル復号候補をモニタリングすることと、
前記第２の特別なＴＤＤサブフレーム構成に基づいて前記少なくとも１つのダウンリンク制御チャネル復号候補をモニタリングするために前記第２のサブフレームを無視することと
を備える、方法。
【請求項２】
前記ダウンリンク制御チャネルは、物理ダウンリンク制御チャネル（ＰＤＣＣＨ）のタイプを備える、請求項１に記載の方法。
【請求項３】
前記第１のサブフレームにおける前記少なくとも１つの復号候補を、前記第２のサブフレームにおける復号候補にマッピングすることが、異なるアグリゲーションレベル、アグリゲーションレベルについての復号候補の異なる数、または制御チャネルの異なるタイプのうちの少なくとも１つを有することを決定することをさらに備える、
請求項１に記載の方法。
【請求項４】
前記第２のサブフレームにおいてサポートされない、前記第１のサブフレームにおいてサポートされたアグリゲーションレベルを有する前記少なくとも１つの復号候補が、前記第１および第２のサブフレームにおける利用可能な制御チャネルエレメント（ＣＣＥ）の数に基づいていることを決定すること、請求項１に記載の方法。
【請求項５】
前記第２のサブフレームにおいてサポートされない、前記第１のサブフレームにおいてサポートされたアグリゲーションレベルを有する前記少なくとも１つの復号候補が、物理リソースブロック（ＰＲＢ）ペアにおける前記ダウンリンク制御チャネルについて利用可能なリソースエレメント（ＲＥ）の数に基づいていることを決定すること、請求項１に記載の方法。
【請求項６】
前記ダウンリンク制御チャネルは、第１のリソースセットおよび第２のリソースセットで構成される拡張された物理ダウンリンク制御チャネル（ＥＰＤＣＣＨ）に基づいており、
前記マッピングを決定することは、前記第１のリソースセット内の第１のマッピングと、前記第２のリソースセット内の第２のマッピングとを決定することを備える、請求項３に記載の方法。
【請求項７】
前記モニタリングすることは、共通サーチ空間およびＵＥ固有のサーチ空間内で行われ、
前記マッピングを決定することは、前記共通サーチ空間内の第１のマッピングと、前記ＵＥ固有のサーチ空間内の第２のマッピングとを決定することを備える、請求項３に記載の方法。
【請求項８】
前記マッピングを前記決定することは、物理ダウンリンク制御チャネル（ＰＤＣＣＨ）の第１のタイプについての第１のマッピングと、ＰＤＣＣＨの第２のタイプについての第２のマッピングとを決定することを備える、請求項３に記載の方法。
【請求項９】
前記第１および第２のサブフレームにおける前記ダウンリンク制御チャネル信号以外の信号の存在を決定することをさらに備え、
前記モニタリングすることは、前記他の信号がそのサブフレームに存在する場合に復号するために前記少なくとも１つの復号候補を無視することを備える、
請求項１に記載の方法。
【請求項１０】
前記他の信号は、マルチメディアブロードキャストマルチキャストサービス（ＭＢＭＳ）信号またはポジショニング基準信号（ＰＲＳ）のうちの少なくとも１つを備える、請求項９に記載の方法。
【請求項１１】
サブフレームの伝送時間間隔（ＴＴＩ）バンドルを占有するダウンリンク制御チャネル送信を送信する方法であって、
前記サブフレームのＴＴＩバンドルを決定することと、前記サブフレームのＴＴＩバンドルは、前記ダウンリンク制御チャネル送信が複数の連続したサブフレームの各々におけるアグリゲーションレベルで繰り返されるように構成された前記複数の連続したサブフレームを備え、
前記アグリゲーションレベルを有する少なくとも１つのダウンリンク制御チャネル復号候補が前記サブフレームのＴＴＩバンドルの第１のサブフレームにおいてサポートされることを決定することと、前記第１のサブフレームは、通常の時分割複信（ＴＤＤ）サブフレーム構成または第１の特別なＴＤＤサブフレーム構成を有し、
前記アグリゲーションレベルを有する前記少なくとも１つのダウンリンク制御チャネル復号候補が前記サブフレームのＴＴＩバンドルの第２のサブフレームにおいてサポートされないことを決定することと、前記第２のサブフレームは、第２の特別なＴＤＤサブフレーム構成を有し、
前記決定に基づいて、前記第２のサブフレームにはない、前記第１のサブフレームにおける前記少なくとも１つのダウンリンク制御チャネル復号候補を送信することと
を備える、方法。
【請求項１２】
前記ダウンリンク制御チャネルは、物理ダウンリンク制御チャネル（ＰＤＣＣＨ）のタイプを備える、請求項１１に記載の方法。
【請求項１３】
前記第２のサブフレームにおいてサポートされない、前記第１のサブフレームにおいてサポートされたアグリゲーションレベルを有する前記少なくとも１つの復号候補が、前記第１および第２のサブフレームにおける利用可能な制御チャネルエレメント（ＣＣＥ）の数に基づいていることを決定すること、請求項１１に記載の方法。
【請求項１４】
前記第２のサブフレームにおいてサポートされない、前記第１のサブフレームにおいてサポートされたアグリゲーションレベルを有する前記少なくとも１つの復号候補が、物理リソースブロック（ＰＲＢ）ペアにおける前記ダウンリンク制御チャネルについて利用可能なリソースエレメント（ＲＥ）の数に基づいていることを決定すること、請求項１１に記載の方法。
【請求項１５】
前記ダウンリンク制御チャネルは、第１のリソースセットおよび第２のリソースセットで構成される拡張された物理ダウンリンク制御チャネル（ＥＰＤＣＣＨ）に基づいており、
前記マッピングを決定することは、前記第１のリソースセット内の第１のマッピングと、前記第２のリソースセット内の第２のマッピングとを決定することを備える、請求項１１に記載の方法。
【請求項１６】
前記マッピングを決定することは、物理ダウンリンク制御チャネル（ＰＤＣＣＨ）の第１のタイプについての第１のマッピングと、ＰＤＣＣＨの第２のタイプについての第２のマッピングとを決定することを備える、請求項１１に記載の方法。
【請求項１７】
サブフレームの伝送時間間隔（ＴＴＩ）バンドルを占有するダウンリンク制御チャネル送信を処理するための装置であって、
前記サブフレームのＴＴＩバンドルを決定するための手段と、前記サブフレームのＴＴＩバンドルは、前記ダウンリンク制御チャネル送信が複数の連続したサブフレームの各々におけるアグリゲーションレベルで繰り返されるように構成された前記複数の連続したサブフレームを備え、
前記アグリゲーションレベルを有する少なくとも１つのダウンリンク制御チャネル復号候補が前記サブフレームのＴＴＩバンドルの第１のサブフレームにおいてサポートされることを決定するための手段と、前記第１のサブフレームは、通常の時分割複信（ＴＤＤ）サブフレーム構成または第１の特別なＴＤＤサブフレーム構成を有し、
前記アグリゲーションレベルを有する前記少なくとも１つのダウンリンク制御チャネル復号候補が前記サブフレームのＴＴＩバンドルの第２のサブフレームにおいてサポートされないことを決定するための手段と、前記第２のサブフレームは、第２の特別なＴＤＤサブフレーム構成を有し、
前記通常のＴＤＤサブフレーム構成または前記第１の特別なＴＤＤサブフレーム構成に基づいて前記第１のサブフレームにおける前記少なくとも１つのダウンリンク制御チャネル復号候補をモニタリングするための手段と、
前記第２の特別なＴＤＤサブフレーム構成に基づいて前記少なくとも１つのダウンリンク制御チャネル復号候補をモニタリングするために前記第２のサブフレームを無視するための手段と
を備える、装置。
【請求項１８】
サブフレームの伝送時間間隔（ＴＴＩ）バンドルを占有するダウンリンク制御チャネル送信を送信するための装置であって、
前記サブフレームのＴＴＩバンドルを決定するための手段と、前記サブフレームのＴＴＩバンドルは、前記ダウンリンク制御チャネル送信が複数の連続したサブフレームの各々におけるアグリゲーションレベルで繰り返されるように構成された前記複数の連続したサブフレームを備え、
前記アグリゲーションレベルを有する少なくとも１つのダウンリンク制御チャネル復号候補が前記サブフレームのＴＴＩバンドルの第１のサブフレームにおいてサポートされることを決定するための手段と、前記第１のサブフレームは、通常の時分割複信（ＴＤＤ）サブフレーム構成または第１の特別なＴＤＤサブフレーム構成を有し、
前記アグリゲーションレベルを有する前記少なくとも１つのダウンリンク制御チャネル復号候補が前記サブフレームのＴＴＩバンドルの第２のサブフレームにおいてサポートされないことを決定するための手段と、前記第２のサブフレームは、第２の特別なＴＤＤサブフレーム構成を有し、
前記決定に基づいて、前記第２のサブフレームにはない、前記第１のサブフレームにおける前記少なくとも１つのダウンリンク制御チャネル復号候補を送信するための手段と
を備える、装置。
【請求項１９】
前記第１の特別なＴＤＤサブフレーム構成は、特別なサブフレーム構成｛３、４、８｝のうちの１つを備え、
前記第２の特別なＴＤＤサブフレーム構成は、特別なサブフレーム構成｛０、１、２、５、６、７｝のうちの１つを備える、
請求項１に記載の方法。
【請求項２０】
前記第１の特別なＴＤＤサブフレーム構成は、特別なサブフレーム構成｛３、４、８｝のうちの１つを備え、
前記第２の特別なＴＤＤサブフレーム構成は、特別なサブフレーム構成｛０、１、２、５、６、７｝のうちの１つを備える、
請求項１１に記載の方法。
【請求項２１】
前記第１の特別なＴＤＤサブフレーム構成は、特別なサブフレーム構成｛３、４、８｝のうちの１つを備え、
前記第２の特別なＴＤＤサブフレーム構成は、特別なサブフレーム構成｛０、１、２、５、６、７｝のうちの１つを備える、
請求項１７に記載の装置。
【請求項２２】
前記第１の特別なＴＤＤサブフレーム構成は、特別なサブフレーム構成｛３、４、８｝のうちの１つを備え、
前記第２の特別なＴＤＤサブフレーム構成は、特別なサブフレーム構成｛０、１、２、５、６、７｝のうちの１つを備える、
請求項１８に記載の装置。
【請求項２３】
前記ダウンリンク制御チャネルの前記繰返しは、同じハイブリッド自動再送要求（ＨＡＲＱ）処理の数を有する、請求項１に記載の方法。
【請求項２４】
前記ダウンリンク制御チャネルの前記繰返しは、同じハイブリッド自動再送要求（ＨＡＲＱ）処理の数を有する、請求項１１に記載の方法。
【請求項２５】
サブフレームの伝送時間間隔（ＴＴＩ）バンドルを占有するダウンリンク制御チャネル送信を復号するための装置であって、
少なくとも１つのプロセッサと、
前記少なくとも１つのプロセッサに結合されたメモリと、前記メモリは、
前記サブフレームのＴＴＩバンドルを決定することと、前記サブフレームのＴＴＩバンドルは、前記ダウンリンク制御チャネル送信が複数の連続したサブフレームの各々におけるアグリゲーションレベルで繰り返されるように構成された前記複数の連続したサブフレームを備え、
前記アグリゲーションレベルを有する少なくとも１つのダウンリンク制御チャネル復号候補が前記サブフレームのＴＴＩバンドルの第１のサブフレームにおいてサポートされることを決定することと、前記第１のサブフレームは、通常の時分割複信（ＴＤＤ）サブフレーム構成または第１の特別なＴＤＤサブフレーム構成を有し、
前記アグリゲーションレベルを有する前記少なくとも１つのダウンリンク制御チャネル復号候補が前記サブフレームのＴＴＩバンドルの第２のサブフレームにおいてサポートされないことを決定することと、前記第２のサブフレームは、第２の特別なＴＤＤサブフレーム構成を有し、
前記通常のＴＤＤサブフレーム構成または前記第１の特別なＴＤＤサブフレーム構成に基づいて前記第１のサブフレームにおける前記少なくとも１つのダウンリンク制御チャネル復号候補をモニタリングすることと、
前記第２の特別なＴＤＤサブフレーム構成に基づいて前記少なくとも１つのダウンリンク制御チャネル復号候補をモニタリングするために前記第２のサブフレームを無視することと
を前記装置に行わせるように前記少なくとも１つのプロセッサによって実行可能なコードを備える、装置。
【請求項２６】
サブフレームの伝送時間間隔（ＴＴＩ）バンドルを占有するダウンリンク制御チャネル送信を送信するための装置であって、
少なくとも１つのプロセッサと、
前記少なくとも１つのプロセッサに結合されたメモリと、前記メモリは、
前記サブフレームのＴＴＩバンドルを決定することと、前記サブフレームのＴＴＩバンドルは、前記ダウンリンク制御チャネル送信が複数の連続したサブフレームの各々におけるアグリゲーションレベルで繰り返されるように構成された前記複数の連続したサブフレームを備え、
前記アグリゲーションレベルを有する少なくとも１つのダウンリンク制御チャネル復号候補が前記サブフレームのＴＴＩバンドルの第１のサブフレームにおいてサポートされることを決定することと、前記第１のサブフレームは、通常の時分割複信（ＴＤＤ）サブフレーム構成または第１の特別なＴＤＤサブフレーム構成を有し、
前記アグリゲーションレベルを有する前記少なくとも１つのダウンリンク制御チャネル復号候補が前記サブフレームのＴＴＩバンドルの第２のサブフレームにおいてサポートされないことを決定することと、前記第２のサブフレームは、第２の特別なＴＤＤサブフレーム構成を有し、
前記決定に基づいて、前記第２のサブフレームにはない、前記第１のサブフレームにおける前記少なくとも１つのダウンリンク制御チャネル復号候補を送信することと
を前記装置に行わせるように前記少なくとも１つのプロセッサによって実行可能なコードを備える、方法。
【請求項２７】
サブフレームの伝送時間間隔（ＴＴＩ）バンドルを占有するダウンリンク制御チャネル送信を復号するための装置のための非一時的なコンピュータ読取可能媒体であって、
前記サブフレームのＴＴＩバンドルを決定することと、前記サブフレームのＴＴＩバンドルは、前記ダウンリンク制御チャネル送信が複数の連続したサブフレームの各々におけるアグリゲーションレベルで繰り返されるように構成された前記複数の連続したサブフレームを備え、
前記アグリゲーションレベルを有する少なくとも１つのダウンリンク制御チャネル復号候補が前記サブフレームのＴＴＩバンドルの第１のサブフレームにおいてサポートされることを決定することと、前記第１のサブフレームは、通常の時分割複信（ＴＤＤ）サブフレーム構成または第１の特別なＴＤＤサブフレーム構成を有し、
前記アグリゲーションレベルを有する前記少なくとも１つのダウンリンク制御チャネル復号候補が前記サブフレームのＴＴＩバンドルの第２のサブフレームにおいてサポートされないことを決定することと、前記第２のサブフレームは、第２の特別なＴＤＤサブフレーム構成を有し、
前記通常のＴＤＤサブフレーム構成または前記第１の特別なＴＤＤサブフレーム構成に基づいて前記第１のサブフレームにおける前記少なくとも１つのダウンリンク制御チャネル復号候補をモニタリングすることと、
前記第２の特別なＴＤＤサブフレーム構成に基づいて前記少なくとも１つのダウンリンク制御チャネル復号候補をモニタリングするために前記第２のサブフレームを無視することと
を前記装置に行わせるように少なくとも１つのプロセッサによって実行可能なコードを備える、非一時的なコンピュータ読取可能媒体。
【請求項２８】
サブフレームの伝送時間間隔（ＴＴＩ）バンドルを占有するダウンリンク制御チャネル送信を送信するための装置のための非一時的なコンピュータ読取可能媒体であって、
前記サブフレームのＴＴＩバンドルを決定することと、前記サブフレームのＴＴＩバンドルは、前記ダウンリンク制御チャネル送信が複数の連続したサブフレームの各々におけるアグリゲーションレベルで繰り返されるように構成された前記複数の連続したサブフレームを備え、
前記アグリゲーションレベルを有する少なくとも１つのダウンリンク制御チャネル復号候補が前記サブフレームのＴＴＩバンドルの第１のサブフレームにおいてサポートされることを決定することと、前記第１のサブフレームは、通常の時分割複信（ＴＤＤ）サブフレーム構成または第１の特別なＴＤＤサブフレーム構成を有し、
前記アグリゲーションレベルを有する前記少なくとも１つのダウンリンク制御チャネル復号候補が前記サブフレームのＴＴＩバンドルの第２のサブフレームにおいてサポートされないことを決定することと、前記第２のサブフレームは、第２の特別なＴＤＤサブフレーム構成を有し、
前記決定に基づいて、前記第２のサブフレームにはない、前記第１のサブフレームにおける前記少なくとも１つのダウンリンク制御チャネル復号候補を送信することと
を前記装置に行わせるように少なくとも１つのプロセッサによって実行可能なコードを備える、非一時的なコンピュータ読取可能媒体。
【手続補正２】
【補正対象書類名】明細書
【補正対象項目名】００８９
【補正方法】変更
【補正の内容】
【００８９】
[0095]  前述の内容は、本開示の実施形態に向けられているが、本開示の他のおよびさらなる実施形態が、その基本的な範囲から逸脱せずに考案されることができ、その範囲は、下記の請求項によって決定される。
以下に、本願の出願当初の特許請求の範囲に記載された発明を付記する。
［Ｃ１］
サブフレームのバンドル上で、バンドリングされた送信として送られるダウンリンク制御チャネルを処理する方法であって、
前記サブフレームのバンドル内の第１のサブフレームにおける前記ダウンリンク制御チャネルについての可能性のある復号候補の第１のセットと、前記サブフレームのバンドル内の第２のサブフレームにおける前記ダウンリンク制御チャネルについての可能性のある復号候補の第２のセットとの間のマッピングを決定することと、
前記決定に、少なくとも部分的に基づいて、前記サブフレームのバンドルを処理することと
を備える、方法。
［Ｃ２］
前記ダウンリンク制御チャネルは、物理ダウンリンク制御チャネル（ＰＤＣＣＨ）または拡張されたＰＤＣＣＨ（ＥＰＤＣＣＨ）を備える、Ｃ１に記載の方法。
［Ｃ３］
可能性のある復号候補の前記第１のセットと、可能性のある復号候補の前記第２のセットとは異なっており、前記処理は、
可能性のある復号候補の前記第２のセット内にはない、可能性のある復号候補の前記第１のセット内の復号候補を決定することと、
復号のために前記サブフレームのバンドルのうちの前記第２のサブフレームを無視すること、および前記サブフレームのバンドルのうちの前記第１のサブフレーム内の前記決定された復号候補を復号すること、または復号のために前記サブフレームのバンドルのうちの前記第１および第２のサブフレームを無視すること
を備える、Ｃ１に記載の方法。
［Ｃ４］
可能性のある復号候補の前記第１のセットにおけるアグリゲーションレベルの復号候補は、可能性のある復号候補の前記第２のセットにおける同じアグリゲーションレベルの復号候補にマッピングされる、Ｃ１に記載の方法。
［Ｃ５］
可能性のある復号候補の前記第１のセットにおける第１の復号候補は、可能性のある復号候補の前記第２のセットにおける第２の復号候補にマッピングされ、前記第１の復号候補および前記第２の復号候補は、異なるアグリゲーションレベル、アグリゲーションレベルについての復号候補の異なる数、または制御チャネルの異なるタイプのうちの少なくとも１つを有する、Ｃ１に記載の方法。
［Ｃ６］
前記ダウンリンク制御チャネルは、物理ダウンリンク制御チャネル（ＰＤＣＣＨ）を備え、
可能性のある復号候補の前記第１のセットと、可能性のある復号候補の前記第２のセットとの間の前記マッピングを前記決定することは、前記サブフレームのバンドル内の利用可能な制御チャネルエレメント（ＣＣＥ）の数に基づいている、Ｃ１に記載の方法。
［Ｃ７］
前記ダウンリンク制御チャネルは、拡張された物理ダウンリンク制御チャネル（ＥＰＤＣＣＨ）を備え、
可能性のある復号候補の前記第１のセットと、可能性のある復号候補の前記第２のセットとの間の前記マッピングを前記決定することは、物理リソースブロック（ＰＲＢ）ペアにおける前記ＥＰＤＣＣＨについて利用可能なリソースエレメント（ＲＥ）の数に基づいて、前記サブフレームのバンドルにおいてサポートされるアグリゲーションレベルを決定することを備える、Ｃ１に記載の方法。
［Ｃ８］
前記ダウンリンク制御チャネルは、第１のＥＰＤＣＣＨリソースセットおよび第２のＥＰＤＣＣＨリソースセットで構成される拡張された物理ダウンリンク制御チャネルを備え、
可能性のある復号候補の前記第１のセットと、可能性のある復号候補の前記第２のセットとの間の前記マッピングを前記決定することは、前記第１のＥＰＤＣＣＨリソースセット内の第１のマッピングを決定すること、および前記第２のＥＰＤＣＣＨリソースセット内の第２のマッピングを決定することを備える、Ｃ１に記載の方法。
［Ｃ９］
共通サーチ空間およびＵＥ固有の共通サーチ空間において、復号候補をモニタリングすること
をさらに備え、
可能性のある復号候補の前記第１のセットと、可能性のある復号候補の前記第２のセットとの間の前記マッピングを前記決定することは、前記共通サーチ空間内の第１のマッピングを決定すること、および前記ＵＥ固有の共通サーチ空間内の第２のマッピングを決定することを備える、Ｃ１に記載の方法。
［Ｃ１０］
可能性のある復号候補の前記第１のセットと、可能性のある復号候補の前記第２のセットとの間の前記マッピングを前記決定することは、前記ＰＤＣＣＨ内の第１のマッピングを決定すること、および前記ＥＰＤＣＣＨ内の第２のマッピングを決定することを備える、Ｃ２に記載の方法。
［Ｃ１１］
前記第１のサブフレームの構成は、前記第２のサブフレームの構成とは異なっており、  前記決定は、前記第１のサブフレームの前記構成および前記第２のサブフレームの前記構成に基づいている、Ｃ１に記載の方法。
［Ｃ１２］
前記第１のサブフレームの前記構成および前記第２のサブフレームの前記構成は、サブフレームにおけるダウンリンク送信についてのシンボルの数、またはサブフレームタイプのうちの少なくとも１つを各々備える、Ｃ１１に記載の方法。
［Ｃ１３］
前記決定は、前記サブフレームのバンドル内の他の信号の存在に基づいており、
前記処理は、前記サブフレームのバンドル内の少なくとも１つのサブフレームにおいて、少なくとも１つの復号候補を無視することを備える、Ｃ１に記載の方法。
［Ｃ１４］
前記サブフレームにおける前記他の信号の存在は、マルチメディアブロードキャストマルチキャストサービス（ＭＢＭＳ）またはポジショニング基準信号（ＰＲＳ）送信のうちの少なくとも１つの存在を備える、Ｃ１３に記載の方法。
［Ｃ１５］
サブフレームのバンドル上で、バンドリングされた送信として送られるダウンリンク制御チャネルを処理する方法であって、
前記サブフレームのバンドルのうちの異なるサブフレームにおいて前記ダウンリンク制御チャネルのためのレートマッチングをどのように行うかを決定することと、
前記決定に、少なくとも部分的に基づいて、前記サブフレームのバンドルを処理することと
を備える、方法。
［Ｃ１６］
前記処理は、前記サブフレームのバンドルにおいて各サブフレームのためのレートマッチングを別個に行うことを備える、Ｃ１５に記載の方法。
［Ｃ１７］
前記処理は、前記サブフレームのバンドルにおいて各サブフレームのためのレートマッチングを共同で行うことを備える、Ｃ１５に記載の方法。
［Ｃ１８］
サブフレームのバンドル上で、バンドリングされた送信としてダウンリンク制御チャネルを送る方法であって、
前記サブフレームのバンドル内の第１のサブフレームにおける前記ダウンリンク制御チャネルについての可能性のある復号候補の第１のセットと、前記サブフレームのバンドル内の第２のサブフレームにおける前記ダウンリンク制御チャネルについての可能性のある復号候補の第２のセットとの間のマッピングを決定することと、
前記決定に、少なくとも部分的に基づいて、前記サブフレームのバンドルを送ることと  を備える、方法。
［Ｃ１９］
前記ダウンリンク制御チャネルは、物理ダウンリンク制御チャネル（ＰＤＣＣＨ）または拡張されたＰＤＣＣＨ（ＥＰＤＣＣＨ）を備える、Ｃ１８に記載の方法。
［Ｃ２０］
可能性のある復号候補の前記第１のセットと、可能性のある復号候補の前記第２のセットとは異なっている、Ｃ１８に記載の方法。
［Ｃ２１］
可能性のある復号候補の前記第１のセットにおけるアグリゲーションレベルの復号候補は、可能性のある復号候補の前記第２のセットにおける同じアグリゲーションレベルの復号候補にマッピングされる、Ｃ１８に記載の方法。
［Ｃ２２］
可能性のある復号候補の前記第１のセットにおける第１の復号候補は、可能性のある復号候補の前記第２のセットにおける第２の復号候補にマッピングされ、前記第１の復号候補および前記第２の復号候補は、異なるアグリゲーションレベル、アグリゲーションレベルについての復号候補の異なる数、または制御チャネルの異なるタイプのうちの少なくとも１つを有する、Ｃ１８に記載の方法。
［Ｃ２３］
前記ダウンリンク制御チャネルは、物理ダウンリンク制御チャネル（ＰＤＣＣＨ）を備え、
可能性のある復号候補の前記第１のセットと、可能性のある復号候補の前記第２のセットとの間の前記マッピングを前記決定することは、前記サブフレームのバンドル内の利用可能な制御チャネルエレメント（ＣＣＥ）の数に基づいている、 Ｃ１８に記載の方法。
［Ｃ２４］
前記ダウンリンク制御チャネルは、拡張された物理ダウンリンク制御チャネル（ＥＰＤＣＣＨ）を備え、
可能性のある復号候補の前記第１のセットと、可能性のある復号候補の前記第２のセットとの間の前記マッピングを前記決定することは、物理リソースブロック（ＰＲＢ）ペアにおける前記ＥＰＤＣＣＨについて利用可能なリソースエレメント（ＲＥ）の数に基づいて、前記サブフレームのバンドルにおいてサポートされるアグリゲーションレベルを決定することを備える、Ｃ１８に記載の方法。
［Ｃ２５］
前記ダウンリンク制御チャネルは、第１のＥＰＤＣＣＨリソースセットおよび第２のＥＰＤＣＣＨリソースセットで構成される拡張された物理ダウンリンク制御チャネル（ＥＰＤＣＣＨ）を備え、
可能性のある復号候補の前記第１のセットと、可能性のある復号候補の前記第２のセットとの間の前記マッピングを前記決定することは、前記第１のＥＰＤＣＣＨリソースセット内の第１のマッピングを決定すること、および前記第２のＥＰＤＣＣＨリソースセット内の第２のマッピングを決定することを備える、Ｃ１８に記載の方法。
［Ｃ２６］
可能性のある復号候補の前記第１のセットと、可能性のある復号候補の前記第２のセットとの間の前記マッピングを前記決定することは、前記ＰＤＣＣＨ内の第１のマッピングを決定すること、および前記ＥＰＤＣＣＨ内の第２のマッピングを決定することを備える、Ｃ１９に記載の方法。
［Ｃ２７］
前記第１のサブフレームの構成は、前記第２のサブフレームの構成とは異なっており、  前記決定は、前記第１のサブフレームの前記構成および前記第２のサブフレームの前記構成に基づいている、Ｃ１８に記載の方法。
［Ｃ２８］
前記第１のサブフレームの前記構成および前記第２のサブフレームの前記構成は、サブフレームにおけるダウンリンク送信についてのシンボルの数、またはサブフレームタイプのうちの少なくとも１つを各々備える、Ｃ２７に記載の方法。
［Ｃ２９］
サブフレームのバンドル上で、バンドリングされた送信として送られるダウンリンク制御チャネルを処理するための装置であって、
前記サブフレームのバンドル内の第１のサブフレームにおける前記ダウンリンク制御チャネルについての可能性のある復号候補の第１のセットと、前記サブフレームのバンドル内の第２のサブフレームにおける前記ダウンリンク制御チャネルについての可能性のある復号候補の第２のセットとの間のマッピングを決定するための手段と、
前記決定に、少なくとも部分的に基づいて、前記サブフレームのバンドルを処理するための手段と
を備える、装置。
［Ｃ３０］
可能性のある復号候補の前記第１のセットと、可能性のある復号候補の前記第２のセットとは異なっており、前記処理するための手段は、
可能性のある復号候補の前記第２のセット内にはない、可能性のある復号候補の前記第１のセット内の復号候補を決定するための手段と、
復号のために前記サブフレームのバンドルのうちの前記第２のサブフレームを無視し、前記サブフレームのバンドルのうちの前記第１のサブフレーム内の前記決定された復号候補を復号するための、または復号のために前記サブフレームのバンドルのうちの前記第１および第２のサブフレームを無視するための手段と
を備える、Ｃ２９に記載の装置。
【外国語明細書】
2020188469000001.pdf